(57)【特許請求の範囲】
【請求項１】
ディスプレイのサイズを取得するディスプレイサイズ取得手段と、
上記ディスプレイサイズ取得手段が取得した上記ディスプレイのサイズに略反比例するように、上記ディスプレイに表示する文字の輪郭線幅を設定する輪郭線幅設定手段と、を備え、
上記輪郭線幅設定手段は、上記ディスプレイサイズ取得手段が取得した上記ディスプレイのサイズ、予め定められた基準ディスプレイのサイズ、および予め定められた基準輪郭線の線幅を用いて、小数値である輪郭線幅を算出する輪郭線幅算出手段と、該輪郭線幅算出手段により算出された輪郭線幅を整数化することによって、整数値である輪郭線幅を算出する輪郭線幅整数化手段とを含んでいる、ことを特徴とする輪郭線幅設定装置。
【請求項２】
上記ディスプレイサイズ取得手段が取得した上記ディスプレイのサイズをＸ、予め定められた基準ディスプレイのサイズをＹ、予め定められた基準輪郭線の線幅をＶとして、
上記輪郭線幅算出手段は、小数値である輪郭線幅Ｗ＝Ｖ＊（Ｙ／Ｘ）を算出し、
上記輪郭線幅整数化手段は、上記輪郭線幅算出手段により算出された輪郭線幅Ｗを整数化することによって、整数値である輪郭線幅Ｗ’を算出する、ことを特徴とする請求項１に記載の輪郭線幅設定装置。
【請求項３】
上記輪郭線幅算出手段により算出された輪郭線幅Ｗの整数部分をｎとして、
上記輪郭線幅整数化手段は、（１）上記ディスプレイのサイズＸが上記基準ディスプレイのサイズＹよりも大きい場合、輪郭線幅Ｗ’をｎとし、（２）上記ディスプレイのサイズＸが上記基準ディスプレイのサイズＹよりも小さい場合、輪郭線幅Ｗ’をｎ＋１とする、ことを特徴とする請求項２に記載の輪郭線幅設定装置。
【請求項４】
上記ディスプレイに縮小表示される画面のサイズを取得する画面サイズ取得手段を更に備え、
上記輪郭線幅設定手段は、上記ディスプレイサイズ取得手段が取得した上記ディスプレイのサイズ、及び、上記画面サイズ取得手段が取得した上記画面のサイズの双方に略反比例するように、上記ディスプレイに表示する文字の輪郭線幅を設定する、ことを特徴とする請求項１に記載の輪郭線幅設定装置。
【請求項５】
上記画面サイズ取得手段は、上記ディスプレイに縮小表示される画面の水平画素数Ｘ１及び垂直画素数Ｙ１を取得するものであり、
上記ディスプレイの水平画素数をＸ２、上記ディスプレイの垂直画素数をＹ２として、
上記輪郭線幅算出手段は、（１）（Ｘ２／Ｘ１）が（Ｙ２／Ｙ１）よりも大きい場合、画面サイズ比率Ｐを（Ｘ２／Ｘ１）とし、（２）（Ｘ２／Ｘ１）が（Ｙ２／Ｙ１）よりも小さい場合、画面サイズ比率Ｐを（Ｙ２／Ｙ１）として、小数値である輪郭線幅Ｗ１＝Ｐ＊Ｖ＊（Ｙ／Ｘ）を算出し、
上記輪郭線幅整数化手段は、上記輪郭線幅算出手段により算出された輪郭線幅Ｗ１を整数化することによって、整数値である輪郭線幅Ｗ’を算出する、ことを特徴とする請求項４に記載の輪郭線幅設定装置。
【請求項６】
請求項１から５までの何れか１項に記載の輪郭線幅設定装置を備えたテレビジョン受信機であって、
当該テレビジョン受信機に接続又は内蔵されたディスプレイにＯＳＤ表示する文字の輪郭線幅を上記輪郭線幅設定装置を用いて設定する、ことを特徴とするテレビジョン受信機。
【請求項７】
ディスプレイのサイズを取得するディスプレイサイズ取得手段と、
上記ディスプレイサイズ取得手段が取得した上記ディスプレイのサイズに略比例するように、上記ディスプレイに表示する文字に付す輪郭線の階調数を設定する輪郭階調数設定手段と、を備えていることを特徴とする輪郭階調数設定装置。
【請求項８】
上記ディスプレイサイズ取得手段が取得した上記ディスプレイのサイズをＸ、予め定められた基準ディスプレイのサイズをＹ、予め定められた基準輪郭線の階調数をＭとして、  上記輪郭階調数設定手段は、小数値である階調数Ｎ＝Ｍ＊（Ｘ／Ｙ）を算出する輪郭階調数算出手段と、上記輪郭階調数算出手段により算出された階調数Ｎを整数化することによって、整数値である階調数Ｎ’を算出する輪郭階調数整数化手段とを含んでいる、ことを特徴とする請求項７に記載の輪郭階調数設定装置。
【請求項９】
上記輪郭階調数算出手段により算出された階調数Ｎの整数部分をｎとして、
上記輪郭階調数整数化手段は、（１）上記ディスプレイのサイズＸが上記基準ディスプレイのサイズＹよりも大きい場合、階調数Ｎ’をｎ＋１とし、（２）上記ディスプレイのサイズＸが上記基準ディスプレイのサイズＹよりも小さい場合、階調数Ｎ’をｎとする、ことを特徴とする請求項８に記載の輪郭階調数設定装置。
【請求項１０】
上記ディスプレイに縮小表示される画面のサイズを取得する画面サイズ取得手段を更に備え、
上記輪郭階調数設定手段は、上記ディスプレイサイズ取得手段が取得した上記ディスプレイのサイズ、及び、上記画面サイズ取得手段が取得した上記画面のサイズの双方に略比例するように、上記画面に表示する文字に付す輪郭線の階調数を設定する、ことを特徴とする請求項７に記載の輪郭階調数設定装置。
【請求項１１】
上記画面サイズ取得手段は、上記ディスプレイに縮小表示される画面の水平画素数Ｘ１、及び垂直画素数Ｙ１を取得するものであり、
上記ディスプレイの水平画素数をＸ２、上記ディスプレイの垂直画素数をＹ２として、
上記輪郭階調数設定手段は、（１）（Ｙ１／Ｙ２）が（Ｘ１／Ｘ２）よりも大きい場合、画面サイズ比率Ｐを（Ｘ１／Ｘ２）とし、（２）（Ｙ１／Ｙ２）が（Ｘ１／Ｘ２）よりも小さい場合、画面サイズ比率Ｐを（Ｙ１／Ｙ２）として、小数値である階調数Ｎ１＝Ｐ＊Ｍ＊（Ｘ／Ｙ）を算出する輪郭線幅算出手段と、上記輪郭線幅算出手段により算出された階調数Ｎ１を整数化することによって、整数値である階調数Ｎ’を算出する輪郭階調数整数化手段とを含んでいる、ことを特徴とする請求項１０に記載の輪郭階調数設定装置。
【請求項１２】
請求項７から１１までの何れか１項に記載の輪郭階調数設定装置を備えたテレビジョン受信機であって、
当該テレビジョン受信機に接続又は内蔵されたディスプレイにＯＳＤ表示する文字に付す輪郭線の階調数を上記輪郭階調数設定装置を用いて設定する、ことを特徴とするテレビジョン受信機。
【請求項１３】
ディスプレイのサイズを取得するディスプレイサイズ取得ステップと、
上記ディスプレイサイズ取得ステップにて取得した上記ディスプレイのサイズに略反比例するように、上記ディスプレイに表示する文字の輪郭線幅を設定する輪郭線幅設定ステップと、を含み、
上記輪郭線幅設定ステップは、上記ディスプレイサイズ取得ステップにて取得した上記ディスプレイのサイズ、予め定められた基準ディスプレイのサイズ、および予め定められた基準輪郭線の線幅を用いて、小数値である輪郭線幅を算出する線幅算出ステップと、該線幅算出ステップにて算出された輪郭線幅を整数化することによって、整数値である輪郭線幅を算出する整数化ステップとを含んでいることを特徴とする輪郭線幅設定方法。
【請求項１４】
ディスプレイのサイズを取得するディスプレイサイズ取得ステップと、
上記ディスプレイサイズ取得ステップにて取得した上記ディスプレイのサイズに略比例するように、上記ディスプレイに表示する文字に付す輪郭線の階調数を設定する輪郭階調数設定ステップと、を含んでいることを特徴とする輪郭階調数設定方法。
【発明の詳細な説明】
【技術分野】
【０００１】
本発明は、ディスプレイに表示する文字の輪郭線幅を設定する輪郭線幅設定装置及び輪郭線幅設定方法に関する。また、本発明は、ディスプレイに表示する文字の輪郭階調数を設定する輪郭階調数設定装置及び輪郭階調数設定方法に関する。
【背景技術】
【０００２】
近年のテレビジョン受信機においては、文字を映像に重ねて表示するＯＳＤ表示が多用されている。ＯＳＤ表示の対象となる文字としては、チャンネルコール、番組情報、データ放送、時刻などの文字情報を構成する文字が典型的である。
【０００３】
文字をＯＳＤ表示する場合、その文字を構成する字画の周囲に、その字画とは異なる色調の輪郭線を付すことが多い。このような輪郭線を付すことによって、文字の色調と映像の色調とが一致しているときでも、文字の視認性が低下し難くなるからである。
【０００４】
文字を高品位にＯＳＤ表示するための技術としては、例えば、特許文献１〜３に記載の技術などが知られている。
【先行技術文献】
【特許文献】
【０００５】
【特許文献１】特開２００７−２３２８５１（２００７年  ９月１３日公開）
【特許文献２】特開２００８−１６０３４５（２００８年  ７月１０日公開）
【特許文献３】特開２００９−１９４４２５（２００９年  ８月２７日公開）
【発明の概要】
【発明が解決しようとする課題】
【０００６】
しかしながら、従来技術を用いて文字をディスプレイに表示する場合、以下に説明する表示品位の低下が生じるという問題がある。
【０００７】
すなわち、文字をディスプレイに表示する場合、通常、ディスプレイに対する相対サイズが所定のサイズになるよう、文字を拡大したり縮小したりする。この際、文字に付された輪郭線の線幅も字画の線幅と共に拡大されたり縮小されたりする。このため、サイズが大きなディスプレイに表示される文字に付される輪郭線の物理幅は太くなり、サイズが小さなディスプレイに表示される文字に付される輪郭線の物理幅は細くなる。特に、多階調の輪郭線が付されている場合には、同一階調を有する帯状領域（以下、「同一階調領域」と記載）の物理幅も太くなったり、細くなったりする。
【０００８】
図１３は、従来技術を用いてディスプレイに表示される文字を示す模式図である。９０インチのディスプレイに表示される文字に付される輪郭線の物理幅が、４６インチのディスプレイに表示される文字の輪郭線の物理幅の約２倍、６０インチのディスプレイに表示される文字に付される輪郭線の物理幅の約１．５倍になっていることが見て取れる。
【０００９】
このように、輪郭線の物理幅が一定以上になると、あたかも文字の表示品位が低下したかのような感覚を視聴者に与えることがある。このような感覚は、サイズが大きなディスプレイが有する付加価値を損なうものであり、是非とも避けるべきものである。また、輪郭線の物理幅が一定以下になると、文字の視認性を高めるという輪郭線の効果が消失することがある。このような現象も、表示品位の低下に繋がるものであり、是非とも避けるべきものである。
【００１０】
図１４は、従来技術を用いてディスプレイに表示される文字を示す模式図である。４６インチのディスプレイに表示される文字と、９０インチのディスプレイに表示される文字とを比べると、輪郭線の物理幅が約２倍に拡大されていることが見て取れる。図５に示す文字には３階調の輪郭線Ａ２が付されているが、この際、各階調に対応する同一階調領域Ａ２１〜Ａ２３の物理幅も２倍に拡大されている。
【００１１】
このように、多階調の輪郭線を構成する各同一階調領域の物理幅が一定以上になると、階調が段階的に変化する様子が認識できるようになり、あたかも文字の表示品位が低下したかのような感覚を視聴者に与えることがある。このような感覚は、サイズが大きなディスプレイが有する付加価値を損なうものであり、是非とも避けるべきものである。
【００１２】
本発明は、上記の課題に鑑みてなされたものであり、その目的は、どのようなサイズのディスプレイに対しても、輪郭線を有する文字（例えば、多階調の輪郭線を有する文字）を高品位に表示することが可能な輪郭線幅設定装置、輪郭階調数設定装置、輪郭線幅設定方法、及び輪郭階調数設定方法を実現することにある。
【課題を解決するための手段】
【００１３】
上記の課題を解決するために、本発明に係る輪郭線幅設定装置は、ディスプレイのサイズ（インチなどの単位で測られる物理サイズ）を取得するディスプレイサイズ取得手段と、上記ディスプレイサイズ取得手段が取得した上記ディスプレイのサイズに略反比例するように、上記ディスプレイに表示する文字の輪郭線幅（ドットなどの単位で測られる論理サイズ）を設定する輪郭線幅設定手段と、を備えている。
【００１４】
上記の課題を解決するために、本発明に係る輪郭階調数設定装置は、ディスプレイのサイズ（インチなどの単位で測られる物理サイズ）を取得するディスプレイサイズ取得手段と、上記ディスプレイサイズ取得手段が取得した上記ディスプレイのサイズに略比例するように、上記ディスプレイに表示する文字に付す輪郭線の階調数を設定する輪郭階調数設定手段と、を備えている。
【００１５】
上記の課題を解決するために、本発明に係る輪郭線幅設定方法は、ディスプレイのサイズ（インチなどの単位で測られる物理サイズ）を取得するディスプレイサイズ取得ステップと、上記ディスプレイサイズ取得ステップにて取得した上記ディスプレイのサイズに略反比例するように、上記ディスプレイに表示する文字の輪郭線幅（ドットなどの単位で測られる論理サイズ）を設定する輪郭線幅設定ステップと、を含んでいる。
【００１６】
上記の課題を解決するために、本発明に係る輪郭階調数設定方法は、ディスプレイのサイズ（インチなどの単位で測られる物理サイズ）を取得するディスプレイサイズ取得ステップと、上記ディスプレイサイズ取得ステップにて取得した上記ディスプレイのサイズに略比例するように、上記ディスプレイに表示する文字に付す輪郭線の階調数を設定する輪郭階調数設定ステップと、を含んでいる。
【発明の効果】
【００１７】
本発明によれば、どのようなサイズのディスプレイに対しても、文字に付される輪郭線の物理幅を略一定にすることができる。また、本発明によれば、どのようなサイズのディスプレイに対しても、文字に付される輪郭線の階調数密度（単位長さ辺りの階調数）を略一定にすることができる。これにより、輪郭線を有する文字（例えば、多階調の輪郭線を有する文字）を高品位に表示することが可能になるという効果を奏する。
【図面の簡単な説明】
【００１８】
【図１】本発明の一実施形態に係る輪郭線幅設定装置の構成を示すブロック図である。
【図２】本発明の一実施形態に係る輪郭線幅設定方法の流れを示すフローチャートである。
【図３】図１に示す輪郭線幅設定装置の動作例を示す模式図ある。
【図４】図１に示す輪郭線幅設定装置として動作するＯＳＤ描画部を備えたテレビジョン受信機の構成を示すブロック図である。
【図５】図４に示すテレビジョン受信機がディスプレイに表示する画面の一例を示す模式図である。（ａ）は、２画面表示する場合の画面の一例を示す模式図であり、（ｂ）は、ＰｉｎＰ（Picture in Picture）表示する場合の画面の一例を示す模式図である。
【図６】本発明の一実施形態に係る輪郭線幅設定装置の構成を示すブロック図である。
【図７】（ａ）は、本発明の一実施形態に係る輪郭線幅設定方法の流れを示すフローチャートであり、（ｂ）は、本発明の一実施形態に係る輪郭線幅設定方法における画面サイズ比率算出の流れを示すフローチャートである。
【図８】本発明の一実施形態に係る輪郭階調数設定装置の構成を示すブロック図である。
【図９】本発明の一実施形態に係る輪郭階調数設定方法の流れを示すフローチャートである。
【図１０】図８に示す輪郭線幅設定装置の動作例を示す模式図ある。
【図１１】本発明の一実施形態に係る輪郭階調数設定装置の構成を示すブロック図である。
【図１２】（ａ）は、本発明の一実施形態に係る輪郭階調数設定方法の流れを示すフローチャートであり、（ｂ）は、本発明の一実施形態に係る輪郭階調数設定方法における画面サイズ比率算出の流れを示すフローチャートである。
【図１３】従来技術を用いてディスプレイに表示される文字を示す模式図である。
【図１４】従来技術を用いてディスプレイに表示される文字を示す模式図である。
【図１５】図４に示すテレビジョン受信機の構成例を示す外観図であり、（ａ）は、図４に示すテレビジョン受信機、及び当該テレビジョン受信機に接続されるディスプレイの外観図であり、（ｂ）は、図４に示すテレビジョン受信機とディスプレイとを備えるテレビジョン受像機の外観図であり、（ｃ）は、（ｂ）に示すテレビジョン受像機、及び当該テレビジョン受像機に接続される再生装置の外観図である。
【発明を実施するための形態】
【００１９】
〔第１の実施形態〕
本発明の第１の実施形態に係る輪郭線幅設定装置について、図面に基づいて説明すれば以下のとおりである。
【００２０】
なお、本実施形態に係る輪郭線幅設定装置は、ディスプレイに表示する文字の輪郭線幅を、そのディスプレイのサイズに応じた値に設定するための装置であり、例えば、テレビジョン放送の受信機（以下、「テレビジョン受信機」と記載）に搭載することができる。この場合、本実施形態に係る輪郭線幅設定装置は、テレビジョン受信機に内蔵又は接続（有線接続であっても、無線接続であってもよい）されたディスプレイにＯＳＤ表示する文字の輪郭線幅を、そのディスプレイのサイズに応じて設定する。なお、文字の輪郭線幅とは、その文字を構成する字画の周囲に付す輪郭線の線幅のことを指す。
【００２１】
〔輪郭線幅設定装置１の構成〕
本実施形態に係る輪郭線幅設定装置１の構成について、図１を参照して説明する。図１は、輪郭線幅設定装置１の構成を示すブロック図である。
【００２２】
輪郭線幅設定装置１は、図１に示すように、ディスプレイサイズ取得部１１と、基準サイズ取得部１２と、比率算出部１３と、線幅算出部１４と、整数化部１５とを備えている。
【００２３】
ディスプレイサイズ取得部１１は、対象ディスプレイサイズＸを取得するための構成である。ここで、「対象ディスプレイサイズ」とは、輪郭線幅設定装置１により設定された輪郭線幅を有する文字が表示されるディスプレイの物理サイズのことを指す。ディスプレイサイズ取得部１１が取得した対象ディスプレイサイズＸは、図１に示すように、後述する比率算出部１３及び整数化部１５に供給される。なお、対象ディスプレイサイズＸは、例えば、インチを単位とする整数値として与えられる。
【００２４】
基準サイズ取得部１２は、基準ディスプレイサイズＹ、及び、基準輪郭線幅Ｖを取得するための構成である。ここで、「基準ディスプレイサイズ」とは、画面デザインの基準とするべきディスプレイとして予め定められたディスプレイの物理サイズのことを指す。また、「基準輪郭線幅」とは、基準ディスプレイに表示する文字に付すべき輪郭線として予め定められた輪郭線の論理サイズのことを指す。基準サイズ取得部１２が取得した基準ディスプレイのサイズＹは、図１に示すように、後述する比率算出部１３及び整数化部１５に供給される。また、基準サイズ取得部１２が取得した基準輪郭線幅Ｖは、図１に示すように、後述する線幅算出部１４に供給される。なお、基準ディスプレイサイズＹは、例えば、インチを単位とする整数値として与えられ、基準輪郭線幅Ｖは、例えば、ドットを単位とする整数値として与えられる。
【００２５】
比率算出部１３は、対象ディスプレイサイズＸに対する基準ディスプレイサイズＹの比率Ｙ／Ｘを算出するための構成である。比率算出部１３による比率Ｙ／Ｘの算出は、例えば、基準サイズ取得部１２から供給された基準ディスプレイサイズＹを、ディスプレイサイズ取得部１１から供給された対象ディスプレイサイズＸで除算することによって実現される。比率算出部１３によって算出された比率Ｙ／Ｘは、図１に示すように、後述する線幅算出部１４に供給される。なお、比率Ｙ／Ｘは、例えば、無単位の小数値（所定の桁数を有する）として与えられる。
【００２６】
線幅算出部１４は、対象ディスプレイサイズＸに反比例する輪郭線幅Ｗ＝Ｖ＊（Ｙ／Ｘ）を算出するための構成である。線幅算出部１４による輪郭線幅Ｗ＝Ｖ＊（Ｙ／Ｘ）の算出は、例えば、比率算出部１３から供給された比率Ｙ／Ｘと、基準サイズ取得部１２から供給された基準輪郭線幅Ｖとを乗算することによって実現される。線幅算出部１４によって算出された輪郭線幅Ｗは、図１に示すように、整数化部１５に供給される。なお、輪郭線幅Ｗは、ドットを単位とする小数値（所定の桁数を有する）として与えられる論理サイズである。
【００２７】
整数化部１５は、小数値である輪郭線幅Ｗを整数化することによって、整数値である輪郭線幅Ｗ’を得るための構成である。整数化部１５による輪郭線幅Ｗの整数化は、例えば、以下のように行われる。すなわち、対象ディスプレイサイズＸが基準ディスプレイのサイズＹよりも大きい場合、整数化部１５は、輪郭線幅Ｗの小数部分を切り捨てることによって輪郭線幅Ｗ’を得る。一方、対象ディスプレイサイズＸが基準ディスプレイのサイズＹ以下である場合、整数化部１５は、輪郭線幅Ｗの小数部分を切り上げることによって輪郭線幅Ｗ’を得る。
【００２８】
このように、輪郭線幅設定装置１を用いれば、対象ディスプレイに表示する文字の輪郭線幅Ｗ’を、その対象ディスプレイサイズＸに略反比例する（整数精度で反比例する）値に設定することができる。
【００２９】
〔輪郭線幅設定方法〕
次に、輪郭線幅設定装置１を用いた輪郭線幅設定方法について、図２を参照して説明する。図２は、本輪郭線幅設定方法の流れを示すフローチャートである。
【００３０】
本輪郭線幅設定方法は、図２に示すように、サイズ取得ステップＳ１１と、比率算出ステップＳ１２と、線幅算出ステップＳ１３と、整数化ステップＳ１４とを含む。
【００３１】
サイズ取得ステップＳ１１は、対象ディスプレイサイズＸ、基準ディスプレイサイズＹ、及び基準輪郭線幅Ｖを取得するステップである。上述したとおり、対象ディスプレイサイズＸの取得は、ディスプレイサイズ取得部１１によって実行され、基準ディスプレイサイズＹ及び基準輪郭線幅Ｖの取得は、基準サイズ取得部１２によって実行される。
【００３２】
比率算出ステップＳ１２は、サイズ取得ステップＳ１１にて取得した対象ディスプレイサイズＸ及び基準ディスプレイサイズＹから、比率Ｙ／Ｘを算出するステップである。上述したとおり、比率Ｙ／Ｘの算出は、比率算出部１３によって実行される。
【００３３】
線幅算出ステップＳ１３は、サイズ取得ステップＳ１１にて取得した基準輪郭線幅Ｖ、及び、比率算出ステップＳ１２にて算出した比率Ｙ／Ｘから、輪郭線幅Ｗを算出するステップである。上述したとおり、輪郭線幅Ｗの算出は、線幅算出部１４によって実行される。
【００３４】
整数化ステップＳ１４は、線幅算出ステップＳ１３にて算出した輪郭線幅Ｗを整数化するステップである。上述したとおり、輪郭線幅Ｗの整数化は、整数化部１５によって実行される。整数化ステップＳ１４は、例えば、判定ステップＳ１４１と、切捨ステップＳ１４２と、切上ステップＳ１４３とにより構成される。
【００３５】
判定ステップＳ１４１は、対象ディスプレイサイズＸと基準ディスプレイサイズＹとの大小比較を行うステップである。Ｘ＞Ｙである場合、整数化部１５は、後述する切捨ステップＳ１４２を実行する。一方、Ｘ≦Ｙである場合、整数化部１５は、後述する切上ステップＳ１４３を実行する。
【００３６】
切捨ステップＳ１４２は、輪郭線幅Ｗの小数部分を切り捨てることによって、整数値である輪郭線幅Ｗ’を得るステップである。Ｗの整数部分がｎである場合、切捨ステップＳ１４２においてＷ’＝ｎが得られる。
【００３７】
切上ステップＳ１４３は、輪郭線幅Ｗの小数部分を切り上げることによって、整数値である輪郭線幅Ｗ’を得るステップである。Ｗの整数部分がｎである場合、切上ステップＳ１４３においてＷ’＝ｎ＋１が得られる。
【００３８】
このように、本輪郭線幅設定方法を用いれば、対象ディスプレイに表示する文字の輪郭線幅Ｗ’を、その対象ディスプレイサイズＸに略反比例する（整数精度で反比例する）値に設定することができる。
【００３９】
なお、本輪郭線幅設定方法は、テレビジョン受像機（ディスプレイを内蔵したテレビジョン受信機）の製造方法に応用することができる。この場合、本輪郭線幅設定方法は、製造対象となるテレビジョン受像機に内蔵されたディスプレイ（以下、「内蔵ディスプレイ」と記載）にＯＳＤ表示する文字の輪郭線幅を、その内蔵ディスプレイのサイズに応じて設定するために用いられる。本輪郭線幅設定方法を用いて設定された輪郭線幅は、例えば、製造対象となるテレビジョン受像機に内蔵された記録媒体（以下、「内蔵記録媒体」と記載）に記録される。このようにして製造されたテレビジョン受像機は、内蔵ディスプレイに文字をＯＳＤ表示する際に、本輪郭線幅設定方法を用いて設定され、内蔵記録媒体に記録された輪郭線幅を参照することができる。
【００４０】
なお、本輪郭線幅設定方法をテレビジョン受像機の製造方法に応用する場合、本輪郭線幅設定方法を構成する各ステップを実行する処理主体は、テレビジョン受像機を製造する製造する製造装置（輪郭線幅設定装置１を備えた製造装置）であってもよいし、テレビ受像機を製造する製造者（作業者）であってもよい。
【００４１】
〔輪郭線幅設定装置１の動作例〕
次に、輪郭線幅設定装置１の動作例について、図３を参照して説明する。図３は、輪郭線幅設定装置１の動作例を示す模式図である。図３の各拡大図において、Ａ１は、字画を構成する領域を示し、Ａ２は、輪郭線を構成する領域を示し、Ａ３は、背景を構成する領域を示している。
【００４２】
本動作例は、ディスプレイに表示する４８ドットの文字の輪郭線幅を設定するものである。本動作例においては、基準ディスプレイサイズＹが６０インチであり、対象ディスプレイサイズＸが４６インチ及び９０インチであるものとする。また、本動作例においては、基準輪郭線幅Ｖ、すなわち、６０インチの基準ディスプレイに４８ドットの文字を表示する際の輪郭線幅が２ドットであるものとする。
【００４３】
対象ディスプレイサイズＸが４６インチである場合、輪郭線幅設定装置１は、（１）比率算出ステップＳ１２にてＹ／Ｘ≒１．３を算出し、（２）線幅算出ステップＳ１３にてＷ＝２．６を算出し、（３）整数化ステップＳ１４にてＷ’＝３を算出する。この場合、Ｘ≦Ｙなので、整数化ステップＳ１４にて実行されるのは、切上ステップＳ１４３である。４６インチの対象ディスプレイに表示された３ドットの輪郭線の物理線幅は、約０．１５ｍｍとなり、６０インチの基準ディスプレイに表示された２ドットの輪郭線の物理線幅（約０．１４ｍｍ）と概ね一致する。
【００４４】
対象ディスプレイサイズＸが９０インチである場合、輪郭線幅設定装置１は、（１）比率算出ステップＳ１２にてＹ／Ｘ≒０．６７を算出し、（２）線幅算出ステップＳ１３にてＷ＝１．３を算出し、（３）整数化ステップＳ１４にてＷ’＝１を算出する。この場合、Ｘ＞Ｙなので、整数化ステップＳ１４にて実行されるのは、切捨ステップＳ１４２である。９０インチの対象ディスプレイに表示された１ドットの輪郭線の物理線幅は、約０．１０ｍｍとなり、６０インチの基準ディスプレイに表示された２ドットの輪郭線の物理線幅（約０．１４ｍｍ）と概ね一致する。
【００４５】
４６インチのディスプレイ（対象ディスプレイ）、６０インチのディスプレイ（基準ディスプレイ）、及び、９０インチのディスプレイ（対象ディスプレイ）における、字画線幅（ドット単位）、字画の物理線幅（ｍｍ単位）、輪郭線幅（ドット単位）、及び、輪郭線の物理線幅（ｍｍ単位）は、下表のように整理される。
【００４６】
【表１】
0005519065.tif 000002
【００４７】
〔テレビジョン受信機の構成〕
次に、輪郭線幅設定装置１として機能するＯＳＤ描画部を備えたテレビジョン受信機１００について、図４を参照して説明する。図４は、テレビジョン受信機１００の構成を示すブロック図である。
【００４８】
テレビジョン受信機１００は、図４に示すように、チューナ部１０１と、多重分離部１０２と、選局部１０３と、映像デコード部１０４と、映像スケーラ部１０５と、音声デコード部１０６と、音声出力部１０７と、データデコード部１０８と、ＯＳＤ生成部１０９と、ＯＳＤ描画部１１０と、外部入力端子１１１と、映像デコード部１１２と、映像スケーラ部１１３と、映像合成部１１４と、ＲＡＭ１１５とを備えている。これらのブロックのうち、ＯＳＤ描画部１１０以外のブロックの機能は、従来の受信機のものと同様なので、ここではその説明を割愛する。
【００４９】
このテレビジョン受信機１００は、テレビジョン放送（地上デジタル放送、ＢＳ放送、ＣＳ放送等）を受信する受信機であり、不図示の外付ディスプレイに接続して利用される。ＯＳＤ描画部１１０は、テレビジョン受信機１００に接続された外付ディスプレイにＯＳＤ表示する文字の輪郭線幅を、その外付ディスプレイのサイズに応じて設定する。
【００５０】
この外付ディスプレイは、ＨＤＭＩ（登録商標）などによってテレビジョン受信機１００に有線接続されるものであってもよいし、ＷｉＦｉ（登録商標）などによってテレビジョン受信機１００に無線接続されるものであってもよい。外付ディスプレイが有線接続される場合、テレビジョン受信機１００には、更に、ＯＳＤ表示される文字が重畳された映像信号で変調された電気信号を生成する通信部と、通信部により生成された電気信号を外部に出力するための出力端子とが付加される。一方、外付ディスプレイが無線接続される場合、テレビジョン受信機１００には、更に、ＯＳＤ表示される文字が重畳された映像信号で変調された電気信号を生成する通信部と、通信部により生成された電気信号を電磁波に変換するアンテナとが付加される。
【００５１】
なお、外付ディスプレイと有線接続される場合、テレビジョン受信機１００は、外付ディスプレイとの有線接続が確立された時点で、その外付ディスプレイのサイズ（対象ディスプレイサイズＸ）を示すサイズ情報（ＨＤＭＩ接続の場合はＥＤＩＤ）を外付ディスプレイから取得し、取得したサイズ情報をＲＡＭ１１５に格納する。また、外付ディスプレイと無線接続される場合、テレビジョン受信機１００は、外付ディスプレイとの無線接続が確立された時点（ペアリングが成立した時点）で、その外付ディスプレイのサイズ（対象ディスプレイサイズＸ）を示すサイズ情報を外付ディスプレイから取得し、取得したサイズ情報をＲＡＭ１１５に格納する。
【００５２】
基準ディスプレイサイズＹと基準輪郭線幅Ｖは、出荷前に予めＲＡＭ１１５に格納されている。したがって、ＯＳＤ描画部１１０は、外付ディスプレイとの接続が確立された後、任意のタイミングで対象ディスプレイサイズＸ、基準ディスプレイサイズＹ、及び、基準輪郭線幅ＶをＲＡＭ１１５から読み出すことが可能である。
【００５３】
ＯＳＤ描画部１１０は、図２に示したフローチャートに従って、輪郭線幅Ｗ’を算出する。この際、サイズ取得ステップＳ１１においては、ＯＳＤ描画部１１０が、対象ディスプレイサイズＸ、基準ディスプレイサイズＹ、及び基準輪郭線幅ＶをＲＡＭ１１５から読み出すことになる。
【００５４】
ＯＳＤ描画部１１０は、ＯＳＤ生成部１０９から文字コードが供給されると、その文字コードに対応するフォントをＲＡＭ１１５から読み出し、映像信号に重畳する文字画像を生成する。この際、文字画像に含まれる文字を構成する字画の周囲に付す輪郭線の線幅を、上記のように設定された輪郭線幅Ｗ’とする。これにより、テレビジョン受信機１００に接続される外付ディスプレイが基準ディスプレイよりも大きい場合であっても小さい場合であっても、常に、適切な輪郭線幅を有する文字が外付ディスプレイに表示されることになる。
【００５５】
ここで説明したテレビジョン受信器１００の外観を例示すれば、例えば、図１５（ａ）に示すようになる。図１５（ａ）に例示したテレビジョン受信器１００は、外付ディスプレイ２００と併用されるものであり、文字の輪郭線幅を外付ディスプレイ２００のサイズに応じて設定する。なお、図１５（ａ）に例示したテレビジョン受信器１００は、「チューナー部」などと呼称されることもある。
【００５６】
なお、ここでは、ディスプレイ（外付ディスプレイ）に接続されるテレビジョン受信機のＯＳＤ描画部を輪郭線幅設定装置１として動作させる構成について説明したが、これに限定されるものではない。すなわち、ディスプレイ（内蔵ディスプレイ）が内蔵されたテレビジョン受信機（つまり、テレビジョン受像機）のＯＳＤ描画部を輪郭線幅設定装置１として動作させる構成を採用してもよい。この場合、どのようなサイズの内蔵ディスプレイを備えたテレビジョン受信機であっても、ＯＳＤ描画部の輪郭線幅設定装置１として機能を変更することなく、適切な輪郭線幅を有する文字を内蔵ディスプレイに表示することができる。特に、ＯＳＤ描画部の輪郭線幅設定装置１として機能をソフトウェアとして実現する場合には、どのようなサイズの内蔵ディスプレイを備えたテレビジョン受信機であっても、ＯＳＤ描画部を輪郭線幅設定装置１として動作させるためのプログラムを変更することなく、適切な輪郭線幅を有する文字を内蔵ディスプレイに表示することができる。
【００５７】
ここで説明したテレビジョン受像機の外観を例示すれば、例えば、図１５（ｂ）に示すようになる。なお、同図においては、テレビジョン受像機に符号３００を付している。
【００５８】
また、ここでは、輪郭線幅設定装置１として機能するＯＳＤ描画部を備えたテレビジョン受信機について説明したが、輪郭線幅設定装置１を搭載可能な装置は、テレビジョン受信機に限定されない。例えば、文字が重畳された映像を出力する映像出力装置であれば、映像を受信する機能を有さない装置であっても、本発明を適用することが可能である。例えば、ＤＶＤプレーヤやＢＤプレーヤなどの再生装置は、そのような映像出力装置の一例である。この場合、出力する映像に重畳する文字の輪郭線幅を、映像の出力先となるディスプレイのサイズに応じて設定することになる。
【００５９】
ここで説明した再生装置の外観を例示すれば、例えば、図１５（ｃ）に示すようになる。図１５（ｃ）に例示した再生装置４００は、テレビジョン受像機３００と併用されるものであり、文字の輪郭線幅をテレビジョン受像機３００が備えるディスプレイサイズに応じて設定する。
【００６０】
〔第２の実施形態〕
本発明の第２の実施形態に係る輪郭線幅設定装置について、図面に基づいて説明すれば以下のとおりである。
【００６１】
なお、本実施形態に係る輪郭線幅設定装置は、ディスプレイに表示する文字の輪郭線幅を、そのディスプレイのサイズ、及び、そのディスプレイに縮小表示される画面のサイズの双方に応じた値に設定するための装置であり、例えば、テレビジョン受信機に搭載することができる。ここで、「画面のサイズ」とは、ディスプレイに縮小表示される画面の論理サイズのことを指し、例えば、水平画素数Ｘ１と垂直画素数Ｙ１との対（水平画素数Ｘ１、垂直画素数Ｙ１）により表される。
【００６２】
ディスプレイに縮小表示される画面の例としては、（１）２画面表示における一方の画面、又は、（２）ＰｉｎＰ（Picture in Picture）表示における子画面などが挙げられる。
【００６３】
図５（ａ）は、２画面表示中のディスプレイの正面図である。この場合、本実施形態に係る輪郭線幅設定装置は、ディスプレイの左側に縮小表示された左画面に表示する文字「ＤＴＶ」の輪郭線幅を、ディスプレイの物理サイズ、及び、当該左画面の論理サイズの双方に応じて設定することになる。
【００６４】
図５（ｂ）は、ＰｉｎＰ表示中のディスプレイの正面図である。この場合、本実施形態に係る輪郭線幅設定装置は、ディスプレイの一部に縮小表示された子画面に表示する文字「ＤＴＶ」の輪郭線幅を、ディスプレイの物理サイズ、及び、当該左画面の論理サイズの双方に応じて設定することになる。
【００６５】
〔輪郭線幅設定装置１’の構成〕
本実施形態に係る輪郭線幅設定装置１’の構成について、図６を参照して説明する。図６は、輪郭線幅設定装置１’の構成を示すブロック図である。なお、第１の実施形態にて説明した部材と同じ機能を有する部材については、同じ符号を付記し、その説明を省略する。
【００６６】
輪郭線幅設定装置１’は、図６に示すように、第１の実施形態に係る輪郭線幅設定装置１の構成に加え、画面サイズ取得部１６と、画面サイズ比率算出部１７と、縮小表示線幅算出部１８とを更に備えている。
【００６７】
画面サイズ取得部１６は、ディスプレイに縮小表示される画面（以下、「縮小画面」とも記載）のサイズを取得するための構成である。画面サイズ取得部１６は、縮小画面のサイズを示す縮小画面サイズ（Ｘ１、Ｙ１）を取得する。また、画面サイズ取得部１６は、ディスプレイの全画面サイズ（Ｘ２、Ｙ２）を取得する。ここで、全画面サイズとは、ディスプレイの論理サイズ（例えば、ドットを単位とする整数値）のことを指す。本実施形態においては、Ｘ２＝１９２０ドット、Ｙ２＝１０８０ドットであると仮定する。画面サイズ取得部１６が取得した縮小画面サイズ（Ｘ１、Ｙ１）、及び全画面サイズ（Ｘ２、Ｙ２）は、後述する画面サイズ比率算出部１７に供給される。
【００６８】
画面サイズ比率算出部１７は、ディスプレイの全画面サイズと、縮小画面サイズとの比率を示す画面サイズ比率Ｐを算出するための構成である。画面サイズ比率算出部１７による比率Ｐの算出は、例えば、以下の手順により実行される。画面サイズ比率算出部１７は、ディスプレイの水平画素数Ｘ２を、縮小画面の水平画素数Ｘ１で除算した商Ｘ２／Ｘ１と、ディスプレイの垂直画素数Ｙ２を、縮小画面の垂直画素数Ｙ１で除算した商Ｙ２／Ｙ１とをそれぞれ算出する。画面サイズ比率算出部１７は、商Ｘ２／Ｘ１と商Ｙ２／Ｙ１とを比較し、（Ｘ２／Ｘ１）＞（Ｙ２／Ｙ１）である場合には、Ｘ２／Ｘ１を画面サイズ比率Ｐとして設定する。一方、画面サイズ比率算出部１７は、（Ｘ２／Ｘ１）≦（Ｙ２／Ｙ１）である場合には、Ｙ２／Ｙ１を画面サイズ比率Ｐとして設定する。画面サイズ比率算出部１７により算出された画面サイズ比率Ｐは、縮小表示線幅算出部１８に供給される。なお、画面サイズ比率Ｐは、例えば、無単位の小数値（所定の桁数を有する）として与えられる。
【００６９】
線幅算出部１４は、第１の実施形態にて説明したように、対象ディスプレイサイズＸに反比例する輪郭線幅Ｗ＝Ｖ＊（Ｙ／Ｘ）を算出する。本実施形態において、線幅算出部１４によって算出された輪郭線幅Ｗは、図６に示すように、縮小表示線幅算出部１８に供給される。
【００７０】
縮小表示線幅算出部１８は、対象ディスプレイサイズ（Ｘ）及び縮小画面サイズ（Ｘ１又はＹ１）の双方に反比例する輪郭線幅Ｗ１＝Ｐ＊Ｗを算出するための構成である。縮小表示線幅算出部１８によるＷ１＝Ｐ＊Ｗの算出は、例えば、線幅算出部１４から供給された輪郭線幅Ｗと、画面サイズ比率算出部１７から供給された画面サイズ比率Ｐとを乗算することにより実現される。縮小表示線幅算出部１８によって算出された輪郭線幅Ｗ１は、図６に示すように、整数化部１５に供給される。なお、輪郭線幅Ｗ１は、ドットを単位とする小数値（所定の桁数を有する）として与えられる論理サイズである。
【００７１】
本実施形態において、整数化部１５は、小数値である輪郭線幅Ｗ１を整数化することによって、整数値である輪郭線幅Ｗ’を得るための構成である。整数化部１５による輪郭線幅Ｗの整数化は、例えば、以下のように行われる。すなわち、対象ディスプレイサイズＸが基準ディスプレイのサイズＹよりも大きい場合、整数化部１５は、輪郭線幅Ｗ１の小数部分を切り捨てることによって輪郭線幅Ｗ’を得る。一方、対象ディスプレイサイズＸが基準ディスプレイのサイズＹ以下である場合、整数化部１５は、輪郭線幅Ｗ１の小数部分を切り上げることによって輪郭線幅Ｗ’を得る。
【００７２】
このように、輪郭線幅設定装置１’を用いれば、縮小画面に表示する文字の輪郭線幅Ｗ’を、その対象ディスプレイサイズＸ、及び、ディスプレイに表示される縮小画面のサイズ（Ｘ１又はＹ１）の双方に略反比例する（整数精度で反比例する）値に設定することができる。
【００７３】
〔輪郭線幅設定方法〕
次に、輪郭線幅設定装置１’を用いた輪郭線幅設定方法について、図７の（ａ）を参照して説明する。図７の（ａ）は、本輪郭線幅設定方法の流れを示すフローチャートである。
【００７４】
本輪郭線幅設定方法は、図７の（ａ）に示すように、サイズ取得ステップＳ２１と、比率算出ステップＳ２２と、線幅算出ステップＳ２３と、縮小表示線幅算出ステップＳ２５と、整数化ステップＳ２４とを含む。
【００７５】
サイズ取得ステップＳ２１は、対象ディスプレイサイズＸ、基準ディスプレイサイズＹ、及び基準輪郭線幅Ｖを取得するステップである。上述したとおり、対象ディスプレイサイズＸの取得は、ディスプレイサイズ取得部２１によって実行され、基準ディスプレイサイズＹ及び基準輪郭線幅Ｖの取得は、基準サイズ取得部１２によって実行される。
【００７６】
比率算出ステップＳ２２は、サイズ取得ステップＳ２１にて取得した対象ディスプレイサイズＸ及び基準ディスプレイサイズＹから、比率Ｙ／Ｘを算出するステップである。上述したとおり、比率Ｙ／Ｘの算出は、比率算出部２３によって実行される。
【００７７】
線幅算出ステップＳ２３は、サイズ取得ステップＳ２１にて取得した基準輪郭線幅Ｖ、及び、比率算出ステップＳ２２にて算出した比率Ｙ／Ｘから、輪郭線幅Ｗを算出するステップである。上述したとおり、輪郭線幅Ｗの算出は、線幅算出部１４によって実行される。
【００７８】
縮小表示線幅算出ステップＳ２５は、画面サイズ比率Ｐ（縮小率の逆数）を算出すると共に、対象ディスプレイサイズ（Ｘ）及び縮小画面サイズ（Ｘ１又はＹ１）の双方に反比例する輪郭線幅Ｗ１＝Ｐ＊Ｗを算出するステップである。上述したとおり、輪郭線幅Ｗ１の算出は、縮小表示線幅算出部１８によって実行される。なお、画面サイズ比率Ｐの算出方法については、参照する図面を代えて後述する。
【００７９】
整数化ステップＳ２４は、縮小表示線幅算出ステップＳ２５にて算出した輪郭線幅Ｗ１を整数化するステップである。上述したとおり、輪郭線幅Ｗ１の整数化は、整数化部１５によって実行される。整数化ステップＳ２４は、例えば、判定ステップＳ２４１と、切捨ステップＳ２４２と、切上ステップＳ２４３とにより構成される。
【００８０】
判定ステップＳ２４１は、対象ディスプレイサイズＸと基準ディスプレイサイズＹとの大小比較を行うステップである。Ｘ＞Ｙである場合、整数化部１５は、後述する切捨ステップＳ２４２を実行する。一方、Ｘ≦Ｙである場合、整数化部１５は、後述する切上ステップＳ２４３を実行する。
【００８１】
切捨ステップＳ２４２は、輪郭線幅Ｗ１の小数部分を切り捨てることによって、整数値である輪郭線幅Ｗ’を得るステップである。Ｗ１の整数部分がｎである場合、切捨ステップＳ２４２においてＷ’＝ｎが得られる。
【００８２】
切上ステップＳ２４３は、輪郭線幅Ｗ１の小数部分を切り上げることによって、整数値である輪郭線幅Ｗ’を得るステップである。Ｗ１の整数部分がｎである場合、切上ステップＳ２４３においてＷ’＝ｎ＋１が得られる。
【００８３】
このように、本輪郭線幅設定方法を用いれば、縮小画面に表示する文字の輪郭線幅Ｗ’を、その対象ディスプレイサイズＸ、及び、縮小画面のサイズ（Ｘ１又はＹ１）の双方に略反比例する（整数精度で反比例する）値に設定することができる。
【００８４】
〔画面サイズ比率の算出〕
次に、縮小表示線幅算出ステップＳ２５における画面サイズ比率Ｐの算出方法について、図７の（ｂ）を参照して説明する。図７の（ｂ）は、本輪郭線幅設定方法における画面サイズ比率Ｐの算出の流れを示すフローチャートである。
【００８５】
画面サイズ取得ステップＳ３１は、ディスプレイに表示される画面のサイズを取得するためのステップである。上述したとおり、画面サイズの取得は、画面サイズ取得部１６によって実行される。画面サイズ取得部１６は、画面サイズ取得ステップＳ３１にて、全画面サイズ、及び縮小画面サイズを取得する。画面サイズ取得ステップＳ３１にて取得された全画面サイズ、及び縮小画像サイズは、画面サイズ比率算出部１７に供給される。
【００８６】
ステップＳ３２〜Ｓ３４は、ディスプレイの全画面サイズに対する、縮小画面サイズの比率を示す画面サイズ比率Ｐを算出するためのステップである。上述したように画面サイズ比率算出部１７によって、ステップＳ３２〜Ｓ３４が実行される。
【００８７】
画面サイズ比率算出部１７は、判定ステップＳ３２にて、ディスプレイの水平画素数１９２０を、縮小画面の水平画素数Ｘ１で除算した商１９２０／Ｘ１と、ディスプレイの垂直画素数１０８０を、縮小画面の垂直画素数Ｙ１で除算した商１０８０／Ｙ１とをそれぞれ算出する。画面サイズ比率算出部１７は、商１９２０／Ｘ１と商１０８０／Ｙ１とを比較する。画面サイズ比率算出部１７は、（１９２０／Ｘ１）＞（１０８０／Ｙ１）である場合には、１９２０／Ｘ１を画面サイズ比率Ｐとして設定する（設定ステップＳ３３）。一方、画面サイズ比率算出部１７は、（１９２０／Ｘ１）≦（１０８０／Ｙ１）である場合には、１０８０／Ｙ１を画面サイズ比率Ｐとして設定する（設定ステップＳ３４）。
【００８８】
以上の手順により、輪郭線幅設定装置１’は、画面サイズ比率Ｐを算出することができる。
【００８９】
なお、本輪郭線幅設定方法は、第１の実施形態に係る輪郭線幅設定方法と同様に、テレビジョン受像機の製造方法に応用することができる。この場合、本輪郭線幅設定方法は、製造対象となるテレビジョン受像機の内蔵ディスプレイにＯＳＤ表示する文字の輪郭線幅を、その内蔵ディスプレイのサイズ、及び内蔵ディスプレイに表示される縮小画面のサイズの双方に応じて設定するために用いられる。本輪郭線幅設定方法を用いて設定された輪郭線幅は、例えば、製造対象となるテレビジョン受像機の内蔵記録媒体に記録される。このようにして製造されたテレビジョン受像機は、内蔵ディスプレイに文字をＯＳＤ表示する際に、本輪郭線幅設定方法を用いて設定され、内蔵記録媒体に記録された輪郭線幅を参照することができる。
【００９０】
なお、本輪郭線幅設定方法をテレビジョン受像機の製造方法に応用する場合、本輪郭線幅設定方法を構成する各ステップを実行する処理主体は、テレビジョン受像機を製造する製造する製造装置（輪郭線幅設定装置１’を備えた製造装置）であってもよいし、テレビ受像機を製造する製造者（作業者）であってもよい。
【００９１】
〔テレビジョン受信機の構成〕
次に、輪郭線幅設定装置１’として機能するＯＳＤ描画部を備えたテレビジョン受信機１００について、図４を再度参照して説明する。図４は、テレビジョン受信機１００の構成を示すブロック図である。テレビジョン受信機１００の備える各ブロックのうち、ＯＳＤ描画部１１０以外のブロックの機能は、第１の実施形態にて説明した機能と同様であるため、ここではその説明を割愛する。
【００９２】
このテレビジョン受信機１００は、上述したように、テレビジョン放送を受信する受信機であり、不図示の外付ディスプレイに接続して利用される。本実施形態におけるＯＳＤ描画部１１０は、テレビジョン受信機１００に接続された外付ディスプレイにＯＳＤ表示する文字の輪郭線幅を、その外付ディスプレイのサイズ、及び、外付けディスプレイに表示される縮小画面のサイズの双方に応じて設定する。
【００９３】
この外付ディスプレイは、ＨＤＭＩなどによってテレビジョン受信機１００に有線接続されるものであってもよいし、ＷｉＦｉなどによってテレビジョン受信機１００に無線接続されるものであってもよい。外付ディスプレイが有線接続される場合、テレビジョン受信機１００には、更に、ＯＳＤ表示される文字が重畳された映像信号で変調された電気信号を生成する通信部と、通信部により生成された電気信号を外部に出力するための出力端子とが付加される。一方、外付ディスプレイが無線接続される場合、テレビジョン受信機１００には、更に、ＯＳＤ表示される文字が重畳された映像信号で変調された電気信号を生成する通信部と、通信部により生成された電気信号を電磁波に変換するアンテナとが付加される。
【００９４】
なお、外付ディスプレイと有線接続される場合、テレビジョン受信機１００は、外付ディスプレイとの有線接続が確立された時点で、その外付ディスプレイのサイズ（対象ディスプレイサイズＸ）を示すサイズ情報（ＨＤＭＩ接続の場合はＥＤＩＤ）、及び、外付ディスプレイの論理サイズである全画面サイズ（Ｘ２、Ｙ２）を示す全画面サイズ情報を外付ディスプレイから取得し、取得したサイズ情報、及び全画面サイズ情報をＲＡＭ１１５に格納する。また、外付ディスプレイと無線接続される場合、テレビジョン受信機１００は、外付ディスプレイとの無線接続が確立された時点（ペアリングが成立した時点）で、その外付ディスプレイのサイズ（対象ディスプレイサイズＸ）を示すサイズ情報、及び、外付ディスプレイの全画面サイズ情報を外付ディスプレイから取得し、取得したサイズ情報、及び、全画面サイズ情報をＲＡＭ１１５に格納する。
【００９５】
基準ディスプレイサイズＹと基準輪郭線幅Ｖは、出荷前に予めＲＡＭ１１５に格納されている。したがって、ＯＳＤ描画部１１０は、外付ディスプレイとの接続が確立された後、任意のタイミングで対象ディスプレイサイズＸ、基準ディスプレイサイズＹ、全画面サイズ（Ｘ２、Ｙ２）、及び、基準輪郭線幅ＶをＲＡＭ１１５から読み出すことが可能である。
【００９６】
また、外付けディスプレイが、２画面表示を開始する場合、またはＰｉｎＰ表示を開始する場合に、映像スケーラ部１０５、１１３は、外付けディスプレイに表示する画面のサイズを縮小する。映像スケーラ部１０５、１１３により縮小された画面の縮小画面サイズ（Ｘ１、Ｙ１）を示す縮小画面サイズ情報は、ＲＡＭ１１５に格納される。したがって、ＯＳＤ描画部１１０は、外付けディスプレイが、２画面表示を開始した後、またはＰｉｎＰ表示を開始した後に、任意のタイミングで縮小画面サイズ（Ｘ１、Ｙ１）をＲＡＭ１１５から読み出すことが可能である。なお、ＯＳＤ描画部１１０は、例えば、２画面表示を開始する旨の通知、またはＰｉｎＰ表示を開始する旨の通知を、映像スケーラ部１０５、または１１３から受け取ることをトリガとして、画面サイズ比率Ｐを算出する構成としてもよい。
【００９７】
ＯＳＤ描画部１１０は、図７に示したフローチャートに従って、輪郭線幅Ｗ’を算出する。この際、サイズ取得ステップＳ２１においては、ＯＳＤ描画部１１０が、対象ディスプレイサイズＸ、基準ディスプレイサイズＹ、及び基準輪郭線幅ＶをＲＡＭ１１５から読み出すことになる。また、画面サイズ取得ステップＳ３１においては、ＯＳＤ描画部１１０が、全画面サイズ（Ｘ２、Ｙ２）、及び縮小画面サイズ（Ｘ１、Ｙ１）をＲＡＭ１１５から読み出すことになる。
【００９８】
ＯＳＤ描画部１１０は、ＯＳＤ生成部１０９から文字コードが供給されると、その文字コードに対応するフォントをＲＡＭ１１５から読み出し、映像信号に重畳する文字画像を生成する。この際、文字画像に含まれる文字を構成する字画の周囲に付す輪郭線の線幅を、上記のように設定された輪郭線幅Ｗ’とする。これにより、テレビジョン受信機１００に接続される外付ディスプレイが基準ディスプレイよりも大きい場合であっても小さい場合であっても、常に、外付ディスプレイに表示される縮小画面のサイズに応じた適切な輪郭線幅を有する文字が外付ディスプレイに表示されることになる。
【００９９】
なお、ここでは、外付ディスプレイに接続されるテレビジョン受信機のＯＳＤ描画部を輪郭線幅設定装置１’として動作させる構成について説明したが、これに限定されるものではない。すなわち、ディスプレイ（内蔵ディスプレイ）が内蔵されたテレビジョン受信機（つまり、テレビジョン受像機）のＯＳＤ描画部を輪郭線幅設定装置１’として動作させる構成を採用してもよい。この場合、どのようなサイズの内蔵ディスプレイを備えたテレビジョン受信機であっても、ＯＳＤ描画部の輪郭線幅設定装置１’として機能を変更することなく、適切な輪郭線幅を有する文字を内蔵ディスプレイに表示することができる。特に、ＯＳＤ描画部の輪郭線幅設定装置１’として機能をソフトウェアとして実現する場合には、どのようなサイズの内蔵ディスプレイを備えたテレビジョン受信機であっても、ＯＳＤ描画部を輪郭線幅設定装置１’として動作させるためのプログラムを変更することなく、適切な輪郭線幅を有する文字を内蔵ディスプレイに表示することができる。
【０１００】
また、ここでは、輪郭線幅設定装置１’として機能するＯＳＤ描画部を備えたテレビジョン受信機について説明したが、輪郭線幅設定装置１’を搭載可能な装置は、テレビジョン受信機に限定されない。例えば、文字が重畳された映像を出力する映像出力装置であれば、映像を受信する機能を有さない装置であっても、本発明を適用することが可能である。例えば、ＤＶＤプレーヤやＢＤプレーヤなどの再生装置は、そのような映像出力装置の一例である。この場合、出力する映像に重畳する文字の輪郭線幅を、映像の出力先となるディスプレイのサイズ、及び、ディスプレイに表示される縮小画面のサイズの双方に応じて設定することになる。
【０１０１】
なお、ここで説明したテレビジョン受信器、テレビジョン受像機、及び再生装置の外観は、例えば、図１５に示したものと同様である。
【０１０２】
〔第３の実施形態〕
本発明の第３の実施形態に係る輪郭階調数設定装置について、図面に基づいて説明すれば以下のとおりである。
【０１０３】
なお、本実施形態に係る輪郭階調数設定装置は、ディスプレイに表示する文字に付す輪郭線の階調数（以下、「輪郭階調数」とも記載）を、そのディスプレイのサイズに応じた値に設定するための装置であり、例えば、テレビジョン放送の受信機（以下、「テレビジョン受信機」と記載）に搭載することができる。この場合、本実施形態に係る輪郭階調数設定装置は、テレビジョン受信機に内蔵又は接続（有線接続であっても、無線接続であってもよい）されたディスプレイにＯＳＤ表示する文字の輪郭階調数を、そのディスプレイのサイズに応じて設定する。
【０１０４】
〔輪郭階調数設定装置の構成〕
本実施形態に係る輪郭階調数設定装置２の構成について、図８を参照して説明する。図８は、輪郭階調数設定装置２の構成を示すブロック図である。
【０１０５】
輪郭階調数設定装置２は、図８に示すように、ディスプレイサイズ取得部２１と、基準サイズ取得部２２と、比率算出部２３と、階調数算出部２４と、整数化部２５とを備えている。
【０１０６】
ディスプレイサイズ取得部２１は、対象ディスプレイサイズＸを取得するための構成である。ここで、「対象ディスプレイサイズ」とは、輪郭階調数設定装置２により設定された輪郭階調数を有する文字が表示されるディスプレイの物理サイズのことを指す。ディスプレイサイズ取得部１１が取得した対象ディスプレイサイズＸは、図８に示すように、後述する比率算出部２３及び整数化部２５に供給される。なお、対象ディスプレイサイズＸは、例えば、インチを単位とする整数値として与えられる。
【０１０７】
基準サイズ取得部２２は、基準ディスプレイサイズＹ、及び、基準輪郭階調数Ｍを取得するための構成である。ここで、「基準ディスプレイサイズ」とは、画面デザインの基準とするディスプレイとして予め定められたディスプレイの物理サイズのことを指す。また、「基準輪郭階調数」とは、基準ディスプレイに表示する文字に付す輪郭線の階調数として予め定められた階調数のことを指す。基準サイズ取得部２２が取得した基準ディスプレイのサイズＹは、図８に示すように、後述する比率算出部２３及び整数化部２５に供給される。また、基準サイズ取得部２２が取得した基準輪郭階調数Ｍは、図８に示すように、後述する階調数算出部２４に供給される。なお、基準ディスプレイサイズＹは、例えば、インチを単位とする整数値として与えられ、基準輪郭階調数Ｍは、例えば、無単位の整数値として与えられる。
【０１０８】
比率算出部２３は、基準ディスプレイサイズＹに対する対象ディスプレイサイズＸの比率Ｘ／Ｙを算出するための構成である。比率算出部２３による比率Ｘ／Ｙの算出は、例えば、ディスプレイサイズ取得部２１から供給された対象ディスプレイサイズＸを、基準サイズ取得部２２から供給された基準ディスプレイサイズＹで除算することによって実現される。比率算出部１３によって算出された比率Ｘ／Ｙは、図８に示すように、後述する階調数算出部２４に供給される。なお、比率Ｘ／Ｙは、例えば、無単位の小数値（所定の桁数を有する）として与えられる。
【０１０９】
階調数算出部２４は、対象ディスプレイサイズＸに比例する輪郭階調数Ｎ＝Ｍ＊（Ｘ／Ｙ）を算出するための構成である。階調数算出部２４による輪郭階調数Ｎ＝Ｍ＊（Ｘ／Ｙ）の算出は、例えば、比率算出部２３から供給された比率Ｘ／Ｙと、基準サイズ取得部２２から供給された基準輪郭階調数Ｍとを乗算することによって実現される。階調数算出部２４によって算出された輪郭階調数Ｎは、図８に示すように、整数化部２５に供給される。なお、輪郭階調数Ｎは、無単位の小数値（所定の桁数を有する）として与えられる。
【０１１０】
整数化部２５は、小数値である輪郭階調数Ｎを整数化することによって、整数値である輪郭階調数Ｎ’を得るための構成である。整数化部２５による輪郭階調数Ｎの整数化は、例えば、以下のように行われる。すなわち、対象ディスプレイサイズＸが基準ディスプレイのサイズＹよりも大きい場合、整数化部２５は、輪郭階調数Ｎの小数部分を切り上げることによって輪郭階調数Ｎ’を得る。一方、対象ディスプレイサイズＸが基準ディスプレイのサイズＹ以下である場合、整数化部２５は、輪郭階調数Ｎの小数部分を切り捨てることによって輪郭階調数Ｎ’を得る。
【０１１１】
このように、輪郭階調数設定装置２を用いれば、対象ディスプレイに表示する文字の輪郭階調数Ｎ’を、その対象ディスプレイサイズＸに略比例する（整数精度で比例する）値に設定することができる。
【０１１２】
〔輪郭階調数設定方法〕
次に、輪郭階調数設定装置２を用いた輪郭階調数設定方法について、図９を参照して説明する。図９は、本輪郭階調数設定方法の流れを示すフローチャートである。
【０１１３】
本輪郭階調数設定方法は、図９に示すように、サイズ取得ステップＳ４１と、比率算出ステップＳ４２と、階調数算出ステップＳ４３と、整数化ステップＳ４４とを含む。
【０１１４】
サイズ取得ステップＳ４１は、対象ディスプレイサイズＸ、基準ディスプレイサイズＹ、及び基準輪郭階調数Ｍを取得するステップである。上述したとおり、対象ディスプレイサイズＸの取得は、ディスプレイサイズ取得部２１によって実行され、基準ディスプレイサイズＹ及び基準輪郭階調数Ｍの取得は、基準サイズ取得部２２によって実行される。
【０１１５】
比率算出ステップＳ４２は、サイズ取得ステップＳ４１にて取得した対象ディスプレイサイズＸ及び基準ディスプレイサイズＹから、比率Ｘ／Ｙを算出するステップである。上述したとおり、比率Ｘ／Ｙの算出は、比率算出部２３によって実行される。
【０１１６】
階調数算出ステップＳ４３は、サイズ取得ステップＳ４１にて取得した基準輪郭階調数Ｍ、及び、比率算出ステップＳ４２にて算出した比率Ｘ／Ｙから、輪郭階調数Ｎ＝Ｍ＊（Ｘ／Ｙ）を算出するステップである。上述したとおり、輪郭階調数Ｎの算出は、階調数算出部２４によって実行される。
【０１１７】
整数化ステップＳ４４は、階調数算出ステップＳ４３にて算出した輪郭階調数Ｎを整数化するステップである。上述したとおり、輪郭階調数Ｎの整数化は、整数化部２５によって実行される。整数化ステップＳ４４は、例えば、判定ステップＳ４４１と、切上ステップＳ４４２と、切捨ステップＳ４４３とにより構成される。
【０１１８】
判定ステップＳ４４１は、対象ディスプレイサイズＸと基準ディスプレイサイズＹとの大小比較を行うステップである。Ｘ＞Ｙである場合、整数化部２５は、後述する切上ステップＳ４４２を実行する。一方、Ｘ≦Ｙである場合、整数化部２５は、後述する切捨ステップＳ４４３を実行する。
【０１１９】
切上ステップＳ４４２は、輪郭階調数Ｎの小数部分を切り上げることによって、整数値である輪郭階調数Ｎ’を得るステップである。Ｎの整数部分がｎである場合、切上ステップＳ４４２においてＮ’＝ｎ＋１が得られる。
【０１２０】
切捨ステップＳ４４３は、輪郭階調数Ｎの小数部分を切り捨てることによって、整数値である輪郭階調数Ｎ’を得るステップである。Ｎの整数部分がｎである場合、切捨ステップＳ４４３においてＮ’＝ｎが得られる。
【０１２１】
このように、本輪郭階調数設定方法を用いれば、対象ディスプレイに表示する文字の輪郭階調数Ｎ’を、その対象ディスプレイサイズＸに略比例する（整数精度で比例する）値に設定することができる。
【０１２２】
なお、本輪郭階調数設定方法は、テレビジョン受像機（ディスプレイを内蔵したテレビジョン受信機）の製造方法に応用することができる。この場合、本輪郭階調数設定方法は、製造対象となるテレビジョン受像機に内蔵されたディスプレイ（以下、「内蔵ディスプレイ」と記載）にＯＳＤ表示する文字の輪郭階調数を、その内蔵ディスプレイのサイズに応じて設定するために用いられる。本輪郭階調数設定方法を用いて設定された輪郭階調数は、例えば、製造対象となるテレビジョン受像機に内蔵された記録媒体（以下、「内蔵記録媒体」と記載）に記録される。このようにして製造されたテレビジョン受像機は、内蔵ディスプレイに文字をＯＳＤ表示する際に、本輪郭階調数設定方法を用いて設定され、内蔵記録媒体に記録された輪郭階調数を参照することができる。
【０１２３】
なお、本輪郭階調数設定方法をテレビジョン受像機の製造方法に応用する場合、本輪郭階調数設定方法を構成する各ステップを実行する処理主体は、テレビジョン受像機を製造する製造する製造装置（輪郭階調数設定装置２を備えた製造装置）であってもよいし、テレビ受像機を製造する製造者（作業者）であってもよい。
【０１２４】
〔輪郭階調数設定装置の動作例〕
次に、輪郭階調数設定装置２の動作例について、図１０を参照して説明する。図１０は、輪郭階調数設定装置２の動作例を示す模式図である。図１０の各拡大図において、Ａ１は、字画を構成する領域を示し、Ａ２は、輪郭線を構成する領域を示し、Ａ３は、背景を構成する領域を示している。
【０１２５】
本動作例は、ディスプレイに表示する４８ドットの文字の輪郭階調数を設定するものである。本動作例においては、基準ディスプレイサイズＹが６０インチであり、対象ディスプレイサイズＸが４６インチ及び９０インチであるものとする。また、本動作例においては、６０インチの基準ディスプレイに表示する文字に付す輪郭線幅は６ドット、輪郭階調数（基準階調数Ｍ）は４階調であるものとする。
【０１２６】
対象ディスプレイサイズＸが４６インチである場合、輪郭階調数設定装置２は、（１）比率算出ステップＳ４２にてＸ／Ｙ≒０．７７を算出し、（２）階調数算出ステップＳ４３にてＮ＝３．１を算出し、（３）整数化ステップＳ４４にてＮ’＝３を算出する。この場合、Ｘ≦Ｙなので、整数化ステップＳ４４にて実行されるのは、切捨ステップＳ４４３である。
【０１２７】
４６インチの対象ディスプレイに表示された６ドットの輪郭線の物理線幅は、約０．３ｍｍとなり、６０インチの基準ディスプレイに表示された６ドットの輪郭線の物理線幅は、約０．４ｍｍとなる。したがって、４６インチの対象ディスプレイに表示された輪郭線の階調密度（単位長さあたりの階調数）は１０階調／ｍｍとなり、６０インチの基準ディスプレイに表示された輪郭線の階調密度（１０階調／ｍｍ）と一致する。
【０１２８】
対象ディスプレイサイズＸが９０インチである場合、輪郭階調数設定装置２は、（１）比率算出ステップＳ２にてＸ／Ｙ≒１．５を算出し、（２）階調数算出ステップＳ４３にてＮ＝６．０を算出し、（３）整数化ステップＳ４４にてＮ’＝６を算出する。この場合、Ｘ＞Ｙなので、整数化ステップＳ４にて実行されるのは、切上ステップＳ４４２である。
【０１２９】
９０インチの対象ディスプレイに表示された６ドットの輪郭線の物理線幅は、約０．６ｍｍとなり、６０インチの基準ディスプレイに表示された６ドットの輪郭線の物理線幅は、約０．４ｍｍとなる。したがって、９０インチの対象ディスプレイに表示された輪郭線の階調密度（単位長さあたりの階調数）は１０階調／ｍｍとなり、６０インチの基準ディスプレイに表示された輪郭線の階調密度（１０階調／ｍｍ）と一致する。
【０１３０】
４６インチのディスプレイ（対象ディスプレイ）、６０インチのディスプレイ（基準ディスプレイ）、及び、９０インチのディスプレイ（対象ディスプレイ）における、輪郭線幅（ドット単位）、輪郭の物理線幅（ｍｍ単位）、輪郭階調数、階調数密度（１ｍｍ辺りの階調数）は、下表のように整理される。
【０１３１】
【表２】
0005519065.tif 000003
【０１３２】
〔テレビジョン受信機の構成〕
次に、輪郭階調数設定装置２として機能するＯＳＤ描画部を備えたテレビジョン受信機１００について、図４を再度参照して説明する。図４は、テレビジョン受信機１００の構成を示すブロック図である。
【０１３３】
テレビジョン受信機１００は、図４に示すように、チューナ部１０１と、多重分離部１０２と、選局部１０３と、映像デコード部１０４と、映像スケーラ部１０５と、音声デコード部１０６と、音声出力部１０７と、データデコード部１０８と、ＯＳＤ生成部１０９と、ＯＳＤ描画部１１０と、外部入力端子１１１と、映像デコード部１１２と、映像スケーラ部１１３と、映像合成部１１４と、ＲＡＭ１１５とを備えている。これらのブロックのうち、ＯＳＤ描画部１１０以外のブロックの機能は、従来の受信機のものと同様なので、ここではその説明を割愛する。
【０１３４】
このテレビジョン受信機１００は、テレビジョン放送（地上デジタル放送、ＢＳ放送、ＣＳ放送等）を受信する受信機であり、不図示の外付ディスプレイに接続して利用される。ＯＳＤ描画部１１０は、テレビジョン受信機１００に接続された外付ディスプレイにＯＳＤ表示する文字の輪郭階調数を、その外付ディスプレイのサイズに応じて設定する。
【０１３５】
この外付ディスプレイは、ＨＤＭＩ（登録商標）などによってテレビジョン受信機１００に有線接続されるものであってもよいし、ＷｉＦｉ（登録商標）などによってテレビジョン受信機１００に無線接続されるものであってもよい。外付ディスプレイが有線接続される場合、テレビジョン受信機１００には、更に、ＯＳＤ表示される文字が重畳された映像信号で変調された電気信号を生成する通信部と、通信部により生成された電気信号を外部に出力するための出力端子とが付加される。一方、外付ディスプレイが無線接続される場合、テレビジョン受信機１００には、更に、ＯＳＤ表示される文字が重畳された映像信号で変調された電気信号を生成する通信部と、通信部により生成された電気信号を電磁波に変換するアンテナとが付加される。
【０１３６】
なお、外付ディスプレイと有線接続される場合、テレビジョン受信機１００は、外付ディスプレイとの有線接続が確立された時点で、その外付ディスプレイのサイズ（対象ディスプレイサイズＸ）を示すサイズ情報（ＨＤＭＩ接続の場合はＥＤＩＤ）を外付ディスプレイから取得し、取得したサイズ情報をＲＡＭ１１５に格納する。また、外付ディスプレイと無線接続される場合、テレビジョン受信機１００は、外付ディスプレイとの無線接続が確立された時点（ペアリングが成立した時点）で、その外付ディスプレイのサイズ（対象ディスプレイサイズＸ）を示すサイズ情報を外付ディスプレイから取得し、取得したサイズ情報をＲＡＭ１１５に格納する。
【０１３７】
基準ディスプレイサイズＹと基準輪郭階調数Ｍは、出荷前に予めＲＡＭ１１５に格納されている。したがって、ＯＳＤ描画部１１０は、外付ディスプレイとの接続が確立された後、任意のタイミングで対象ディスプレイサイズＸ、基準ディスプレイサイズＹ、及び、基準輪郭階調数ＭをＲＡＭ１１５から読み出すことが可能である。
【０１３８】
ＯＳＤ描画部１１０は、図９に示したフローチャートに従って、輪郭階調数Ｎ’を算出する。この際、サイズ取得ステップＳ４１においては、ＯＳＤ描画部１１０が、対象ディスプレイサイズＸ、基準ディスプレイサイズＹ、及び基準輪郭階調数ＭをＲＡＭ１１５から読み出すことになる。
【０１３９】
ＯＳＤ描画部１１０は、ＯＳＤ生成部１０９から文字コードが供給されると、その文字コードに対応するフォントをＲＡＭ１１５から読み出し、映像信号に重畳する文字画像を生成する。この際、文字画像に含まれる文字を構成する字画の周囲に付す輪郭線の階調数を、上記のように設定された輪郭階調数Ｎ’とする。これにより、テレビジョン受信機１００に接続される外付ディスプレイが基準ディスプレイよりも大きい場合であっても小さい場合であっても、常に、適切な輪郭階調数を有する文字が外付ディスプレイに表示されることになる。
【０１４０】
なお、ここでは、ディスプレイ（外付ディスプレイ）に接続されるテレビジョン受信機のＯＳＤ描画部を輪郭階調数設定装置２として動作させる構成について説明したが、これに限定されるものではない。すなわち、ディスプレイ（内蔵ディスプレイ）が内蔵されたテレビジョン受信機（つまり、テレビジョン受像機）のＯＳＤ描画部を輪郭階調数設定装置２として動作させる構成を採用してもよい。この場合、どのようなサイズの内蔵ディスプレイを備えたテレビジョン受信機であっても、ＯＳＤ描画部の輪郭階調数設定装置２として機能を変更することなく、適切な輪郭階調数を有する文字を内蔵ディスプレイに表示することができる。特に、ＯＳＤ描画部の輪郭階調数設定装置２として機能をソフトウェアとして実現する場合には、どのようなサイズの内蔵ディスプレイを備えたテレビジョン受信機であっても、ＯＳＤ描画部を輪郭階調数設定装置２として動作させるためのプログラムを変更することなく、適切な輪郭階調数を有する文字を内蔵ディスプレイに表示することができる。
【０１４１】
また、ここでは、輪郭階調数設定装置２として機能するＯＳＤ描画部を備えたテレビジョン受信機について説明したが、輪郭階調数設定装置２を搭載可能な装置は、テレビジョン受信機に限定されない。例えば、文字が重畳された映像を出力する映像出力装置であれば、映像を受信する機能を有さない装置であっても、本発明を適用することが可能である。例えば、ＤＶＤプレーヤやＢＤプレーヤなどの再生装置は、そのような映像出力装置の一例である。この場合、出力する映像に重畳する文字の輪郭階調数を、映像の出力先となるディスプレイのサイズに応じて設定することになる。
【０１４２】
なお、ここで説明したテレビジョン受信器、テレビジョン受像機、及び再生装置の外観は、例えば、図１５に示したものと同様である。
【０１４３】
〔第４の実施形態〕
本発明の第４の実施形態に係る輪郭階調数設定装置について、図面に基づいて説明すれば以下のとおりである。
【０１４４】
本実施形態に係る輪郭階調数設定装置は、ディスプレイに表示する文字に付す輪郭線の階調数（以下、「輪郭階調数」とも記載）を、そのディスプレイのサイズ、及び、そのディスプレイに縮小表示される画面のサイズの双方に応じた値に設定するための装置であり、例えば、テレビジョン受信機に搭載することができる。ここで、前記実施形態と同様に、「画面のサイズ」とは、ディスプレイに縮小表示される画面の論理サイズのことを指し、例えば、水平画素数Ｘ１と垂直画素数Ｙ１との対（水平画素数Ｘ１、垂直画素数Ｙ１）により表される。
【０１４５】
ディスプレイに縮小表示される画面の例について、図５を再度参照して説明する。
【０１４６】
図５（ａ）は、２画面表示中のディスプレイの正面図である。この場合、本実施形態に係る輪郭階調数設定装置は、ディスプレイの左側に縮小表示された左画面に表示する文字「ＤＴＶ」に付す輪郭階調数を、ディスプレイの物理サイズ、及び、当該左画面の論理サイズの双方に応じて設定することになる。
【０１４７】
図５（ｂ）は、ＰｉｎＰ表示中のディスプレイの正面図である。この場合、本実施形態に係る輪郭階調数設定装置は、ディスプレイの一部に縮小表示された子画面に表示する文字「ＤＴＶ」に付す輪郭階調数を、ディスプレイの物理サイズ、及び、当該左画面の論理サイズの双方に応じて設定することになる。
【０１４８】
〔輪郭階調数設定装置２’の構成〕
本実施形態に係る輪郭階調数設定装置２’の構成について、図１１を参照して説明する。図１１は、輪郭階調数設定装置２’の構成を示すブロック図である。なお、第３の実施形態にて説明した部材と同じ機能を有する部材については、同じ符号を付記し、その説明を省略する。
【０１４９】
輪郭階調数設定装置２’は、図１１に示すように、第３の実施形態に係る輪郭階調数設定装置２と同様の構成に加え、画面サイズ取得部２６と、画面サイズ比率算出部２７と、縮小表示階調数算出部２８とを更に備えている。
【０１５０】
画面サイズ取得部２６は、ディスプレイに縮小表示される画面（以下、「縮小画面」とも記載）のサイズを取得するための構成である。画面サイズ取得部２６は、縮小画面のサイズを示す縮小画面サイズ（Ｘ１、Ｙ１）を取得する。また、画面サイズ取得部２６は、ディスプレイの全画面サイズ（Ｘ２、Ｙ２）を取得する。ここで、全画面サイズとは、ディスプレイの論理サイズ（例えば、ドットを単位とする整数値）のことを指す。本実施形態においては、Ｘ２＝１９２０ドット、Ｙ２＝１０８０ドットであると仮定する。画面サイズ取得部２６が取得した縮小画面サイズ（Ｘ１、Ｙ１）、及び全画面サイズ（Ｘ２、Ｙ２）は、後述する画面サイズ比率算出部２７に供給される。
【０１５１】
画面サイズ比率算出部２７は、ディスプレイの全画面サイズと、縮小画面サイズとの比率を示す画面サイズ比率Ｐを算出するための構成である。画面サイズ比率算出部２７による比率Ｐの算出は、例えば、以下の手順により実行される。画面サイズ比率算出部２７は、縮小画面の水平画素数Ｘ１を、ディスプレイの水平画素数Ｘ２で除算した商Ｘ１／Ｘ２と、縮小画面の垂直画素数Ｙ１を、ディスプレイの垂直画素数Ｙ２で除算した商Ｙ１／Ｙ２とをそれぞれ算出する。画面サイズ比率算出部２７は、商Ｘ１／Ｘ２と、商Ｙ１／Ｙ２とを比較し、（Ｘ１／Ｘ２）＜（Ｙ１／Ｙ２）である場合には、Ｘ１／Ｘ２を画面サイズ比率Ｐとして設定する。一方、画面サイズ比率算出部２７は、（Ｘ１／Ｘ２）≧（Ｙ１／Ｙ２）である場合には、Ｙ１／Ｙ２を画面サイズ比率Ｐとして設定する。画面サイズ比率算出部２７により算出された画面サイズ比率Ｐは、縮小表示階調数算出部２８に供給される。なお、画面サイズ比率Ｐは、例えば、無単位の小数値（所定の桁数を有する）として与えられる。
【０１５２】
階調数算出部２４は、第３の実施形態にて説明したように、対象ディスプレイサイズＸに比例する輪郭階調数Ｎ＝Ｍ＊（Ｘ／Ｙ）を算出する。本実施形態において、階調数算出部２４によって算出された輪郭階調数Ｎは、図１１に示すように、縮小表示階調数算出部２８に供給される。
【０１５３】
縮小表示階調数算出部２８は、対象ディスプレイサイズ（Ｘ）及び縮小画面サイズ（Ｘ１又はＹ１）の双方に比例する輪郭階調数Ｎ１＝Ｐ＊Ｎを算出するための構成である。縮小表示階調数算出部２８によるＮ１＝Ｐ＊Ｎの算出は、例えば、階調数算出部２４から供給された輪郭階調数Ｎと、画面サイズ比率算出部２７から供給された画面サイズ比率Ｐとを乗算することにより実現される。縮小表示階調数算出部２８によって算出された輪郭階調数Ｎ１は、図１１に示すように、整数化部２５に供給される。なお、輪郭階調数Ｎ１は、無単位の小数値（所定の桁数を有する）として与えられる。
【０１５４】
整数化部２５は、小数値である輪郭階調数Ｎ１を整数化することによって、整数値である輪郭階調数Ｎ’を得るための構成である。整数化部２５による輪郭階調数Ｎ１の整数化は、例えば、以下のように行われる。すなわち、対象ディスプレイサイズＸが基準ディスプレイのサイズＹよりも大きい場合、整数化部２５は、輪郭階調数Ｎ１の小数部分を切り上げることによって輪郭階調数Ｎ’を得る。一方、対象ディスプレイサイズＸが基準ディスプレイのサイズＹ以下である場合、整数化部２５は、輪郭階調数Ｎ１の小数部分を切り捨てることによって輪郭階調数Ｎ’を得る。
【０１５５】
このように、輪郭階調数設定装置２’を用いれば、対象ディスプレイに表示する文字の輪郭階調数Ｎ’を、その対象ディスプレイサイズＸ、及び、縮小画面サイズ（Ｘ１又はＹ１）の双方に略比例する（整数精度で比例する）値に設定することができる。
【０１５６】
〔輪郭階調数設定方法〕
次に、輪郭階調数設定装置２を用いた輪郭階調数設定方法について、図１２の（ａ）を参照して説明する。図１２の（ａ）は、本輪郭階調数設定方法の流れを示すフローチャートである。
【０１５７】
本輪郭階調数設定方法は、図１２に示すように、サイズ取得ステップＳ５１と、比率算出ステップＳ５２と、階調数算出ステップＳ５３と、縮小表示階調数算出ステップＳ５５と、整数化ステップＳ５４とを含む。
【０１５８】
サイズ取得ステップＳ５１は、対象ディスプレイサイズＸ、基準ディスプレイサイズＹ、及び基準輪郭階調数Ｍを取得するステップである。上述したとおり、対象ディスプレイサイズＸの取得は、ディスプレイサイズ取得部２１によって実行され、基準ディスプレイサイズＹ及び基準輪郭階調数Ｍの取得は、基準サイズ取得部２２によって実行される。
【０１５９】
比率算出ステップＳ５２は、サイズ取得ステップＳ５１にて取得した対象ディスプレイサイズＸ及び基準ディスプレイサイズＹから、比率Ｘ／Ｙを算出するステップである。上述したとおり、比率Ｘ／Ｙの算出は、比率算出部２３によって実行される。
【０１６０】
階調数算出ステップＳ５３は、サイズ取得ステップＳ５１にて取得した基準輪郭階調数Ｍ、及び、比率算出ステップＳ５２にて算出した比率Ｘ／Ｙから、輪郭階調数Ｎ＝Ｍ＊（Ｘ／Ｙ）を算出するステップである。上述したとおり、輪郭階調数Ｎの算出は、階調数算出部２４によって実行される。
【０１６１】
縮小表示階調数算出ステップＳ５５は、画面サイズ比率Ｐ（縮小率）を算出すると共に、対象ディスプレイサイズ（Ｘ）及び縮小画面サイズ（Ｘ１、Ｙ１）の双方に比例する輪郭階調数Ｎ１＝Ｐ＊Ｎを算出するステップである。上述したとおり、輪郭線幅Ｗ１の算出は、縮小表示階調数算出部２８によって実行される。なお、画面サイズ比率Ｐの算出方法については、参照する図面を代えて後述する。
【０１６２】
整数化ステップＳ５４は、縮小表示階調数算出ステップＳ５５にて算出した輪郭階調数Ｎ１を整数化するステップである。上述したとおり、輪郭階調数Ｎ１の整数化は、整数化部２５によって実行される。整数化ステップＳ５４は、例えば、判定ステップＳ５４１と、切上ステップＳ５４２と、切捨ステップＳ５４３とにより構成される。
【０１６３】
判定ステップＳ５４１は、対象ディスプレイサイズＸと基準ディスプレイサイズＹとの大小比較を行うステップである。Ｘ＞Ｙである場合、整数化部２５は、後述する切上ステップＳ５４２を実行する。一方、Ｘ≦Ｙである場合、整数化部２５は、後述する切捨ステップＳ５４３を実行する。
【０１６４】
切上ステップＳ５４２は、輪郭階調数Ｎ１の小数部分を切り上げることによって、整数値である輪郭階調数Ｎ’を得るステップである。Ｎ１の整数部分がｎである場合、切上ステップＳ５４２においてＮ’＝ｎ＋１が得られる。
【０１６５】
切捨ステップＳ５４３は、輪郭階調数Ｎ１の小数部分を切り捨てることによって、整数値である輪郭階調数Ｎ’を得るステップである。Ｎ１の整数部分がｎである場合、切捨ステップＳ５４３においてＮ’＝ｎが得られる。
【０１６６】
このように、本輪郭階調数設定方法を用いれば、対象ディスプレイに表示する文字の輪郭階調数Ｎ’を、その対象ディスプレイサイズＸ、及び、縮小画面サイズ（Ｘ１又はＹ１）に略比例する（整数精度で比例する）値に設定することができる。
【０１６７】
〔画面サイズ比率の算出〕
次に、縮小表示階調数算出ステップＳ５５における画面サイズ比率Ｐの算出方法について、図１２の（ｂ）を参照して説明する。図１２の（ｂ）は、本輪郭線幅設定方法における画面サイズ比率Ｐの算出の流れを示すフローチャートである。
【０１６８】
画面サイズ取得ステップＳ６１は、ディスプレイに表示される画面のサイズを取得するためのステップである。上述したとおり、画面サイズの取得は、画面サイズ取得部２６によって実行される。画面サイズ取得部２６は、画面サイズ取得ステップＳ６１にて、全画面サイズ、及び縮小画面サイズを取得する。画面サイズ取得ステップＳ６１にて取得された全画面サイズ、及び縮小画像サイズは、画面サイズ比率算出部２７に供給される。
【０１６９】
ステップＳ６２〜Ｓ６４は、ディスプレイの全画面サイズに対する、縮小画面サイズの比率を示す画面サイズ比率Ｐを算出するためのステップである。上述したように画面サイズ比率算出部２７によって、ステップＳ６２〜Ｓ６４が実行される。
【０１７０】
画面サイズ比率算出部２７は、判定ステップＳ６２にて、縮小画面の水平画素数Ｘ１を、ディスプレイの水平画素数１９２０で除算した商Ｘ１／１９２０と、縮小画面の垂直画素数Ｙ１を、ディスプレイの垂直画素数１０８０で除算した商Ｙ１／１０８０とをそれぞれ算出する。画面サイズ比率算出部２７は、商Ｘ１／１９２０と商Ｙ１／１０８０とを比較する。画面サイズ比率算出部２７は、（Ｘ１／１９２０）＜（Ｙ１／１０８０）である場合には、Ｘ１／１９２０を画面サイズ比率Ｐとして設定する（設定ステップＳ６３）。一方、画面サイズ比率算出部１７は、（Ｘ１／１９２０）≧（Ｙ１／１０８０）である場合には、Ｙ１／１０８０を画面サイズ比率Ｐとして設定する（設定ステップＳ６４）。
【０１７１】
以上の手順により、輪郭階調数設定装置２’は、画面サイズ比率Ｐを算出することができる。
【０１７２】
なお、本輪郭階調数設定方法は、第３の実施形態に係る輪郭階調数設定方法と同様に、テレビジョン受像機の製造方法に応用することができる。この場合、本輪郭階調数設定方法は、製造対象となるテレビジョン受像機の内蔵ディスプレイにＯＳＤ表示する文字の輪郭階調数を、その内蔵ディスプレイのサイズ、及び、内蔵ディスプレイに表示される縮小画面のサイズの双方に応じて設定するために用いられる。本輪郭階調数設定方法を用いて設定された輪郭階調数は、例えば、製造対象となるテレビジョン受像機の内蔵記録媒体に記録される。このようにして製造されたテレビジョン受像機は、内蔵ディスプレイに文字をＯＳＤ表示する際に、本輪郭階調数設定方法を用いて設定され、内蔵記録媒体に記録された輪郭階調数を参照することができる。
【０１７３】
なお、本輪郭階調数設定方法をテレビジョン受像機の製造方法に応用する場合、本輪郭階調数設定方法を構成する各ステップを実行する処理主体は、テレビジョン受像機を製造する製造する製造装置（輪郭階調数設定装置２’を備えた製造装置）であってもよいし、テレビ受像機を製造する製造者（作業者）であってもよい。
【０１７４】
〔テレビジョン受信機の構成〕
次に、輪郭階調数設定装置２’として機能するＯＳＤ描画部を備えたテレビジョン受信機１００について、図４を再度参照して説明する。図４は、テレビジョン受信機１００の構成を示すブロック図である。本実施形態において、テレビジョン受信機１００は、ＯＳＤ描画部１１０が、輪郭階調数設定装置２’として機能するという点において、第２の実施形態にて説明したテレビジョン受信機１００と異なる。すなわち、ＯＳＤ描画部１１０は、テレビジョン受信機１００に接続された外付ディスプレイにＯＳＤ表示する文字の輪郭階調数を、その外付ディスプレイのサイズ、及び、外付けディスプレイに表示される縮小画面のサイズの双方に応じて設定する。
【０１７５】
ＯＳＤ描画部１１０は、図１２に示したフローチャートに従って、輪郭階調数Ｎ’を算出する。この際、サイズ取得ステップＳ５１においては、ＯＳＤ描画部１１０が、対象ディスプレイサイズＸ、基準ディスプレイサイズＹ、及び基準輪郭階調数Ｍ（出荷前に予めＲＡＭ１１５に格納されている）をＲＡＭ１１５から読み出すことになる。また、画面サイズ取得ステップＳ６１においては、ＯＳＤ描画部１１０が、全画面サイズ（Ｘ２、Ｙ２）、及び縮小画面サイズ（Ｘ１、Ｙ１）をＲＡＭ１１５から読み出すことになる。
【０１７６】
ＯＳＤ描画部１１０は、ＯＳＤ生成部１０９から文字コードが供給されると、その文字コードに対応するフォントをＲＡＭ１１５から読み出し、映像信号に重畳する文字画像を生成する。この際、文字画像に含まれる文字を構成する字画の周囲に付す輪郭線の階調数を、上記のように設定された輪郭階調数Ｎ’とする。これにより、テレビジョン受信機１００に接続される外付ディスプレイが基準ディスプレイよりも大きい場合であっても小さい場合であっても、常に、外付ディスプレイに表示される縮小画面のサイズに応じた適切な輪郭階調数を有する文字が外付ディスプレイに表示されることになる。
【０１７７】
なお、ここで説明したテレビジョン受信器、テレビジョン受像機、及び再生装置の外観は、例えば、図１５に示したものと同様である。
【０１７８】
〔ソフトウェアによる実現例〕
最後に、輪郭線幅設定装置１、輪郭線幅設定装置１’、輪郭階調数設定装置２、及び、輪郭階調数設定装置２’の各ブロックは、集積回路（ＩＣチップ）上に形成された論理回路によってハードウェア的に実現してもよいし、ＣＰＵ（Central Processing Unit）を用いてソフトウェア的に実現してもよい。
【０１７９】
後者の場合、輪郭線幅設定装置１、輪郭線幅設定装置１’、輪郭階調数設定装置２、及び、輪郭階調数設定装置２’は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである輪郭線幅設定装置１、輪郭線幅設定装置１’、輪郭階調数設定装置２、及び、輪郭階調数設定装置２’の制御プログラムのプログラムコード（実行形式プログラム、中間コードプログラム、ソースプログラム）をコンピュータで読み取り可能に記録した記録媒体を、上記輪郭線幅設定装置１、輪郭線幅設定装置１’、輪郭階調数設定装置２、及び、輪郭階調数設定装置２’に供給し、そのコンピュータ（またはＣＰＵやＭＰＵ）が記録媒体に記録されているプログラムコードを読み出し実行することによっても、達成可能である。
【０１８０】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１８１】
また、輪郭線幅設定装置１、輪郭線幅設定装置１’、輪郭階調数設定装置２、及び、輪郭階調数設定装置２’を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance、登録商標）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１８２】
〔まとめ〕
本発明の一態様に係る輪郭線幅設定装置（１）は、ディスプレイのサイズを取得するディスプレイサイズ取得手段（１１）と、上記ディスプレイサイズ取得手段（１１）が取得した上記ディスプレイのサイズに略反比例するように、上記ディスプレイに表示する文字の輪郭線幅を設定する輪郭線幅設定手段（１３、１４、１５）と、を備えている。
【０１８３】
上記の構成によれば、どのようなサイズのディスプレイに対しても、文字に付される輪郭線の物理幅を略一定にすることができる。これにより、輪郭線を有する文字を高品位に表示することが可能になる。
【０１８４】
本発明の一態様に係る輪郭線幅設定装置（１）においては、上記ディスプレイサイズ取得手段（１１）が取得した上記ディスプレイのサイズをＸ、予め定められた基準ディスプレイのサイズをＹ、予め定められた基準輪郭線の線幅をＶとして、上記輪郭線幅設定手段（１３、１４、１５）が、小数値である輪郭線幅Ｗ＝Ｖ＊（Ｙ／Ｘ）を算出する輪郭線幅算出手段（１３、１４）と、上記輪郭線幅算出手段（１３、１４）により算出された輪郭線幅Ｗを整数化することによって、整数値である輪郭線幅Ｗ’を算出する輪郭線幅整数化手段（１５）とを含んでいる、ことが好ましい。
【０１８５】
上記の構成によれば、ディスプレイのサイズに略反比例する輪郭線幅を、簡単な構成で高速に導出することができる。
【０１８６】
本発明の一態様に係る輪郭線幅設定装置（１）においては、上記輪郭線幅算出手段（１３、１４）により算出された輪郭線幅Ｗの整数部分をｎとして、上記輪郭線幅整数化手段（１５）が、上記ディスプレイのサイズＸが上記基準ディスプレイのサイズＹよりも大きい場合、輪郭線幅Ｗ’をｎとし、上記ディスプレイのサイズＸが上記基準ディスプレイのサイズＹよりも小さい場合、輪郭線幅Ｗ’をｎ＋１とする、ことが好ましい。
【０１８７】
上記の構成によれば、基準ディスプレイよりもサイズの大きなディスプレイに表示する文字の輪郭線幅が太くなり過ぎたり、基準ディスプレイよりもサイズの小さなディスプレイに表示する文字の輪郭線幅が細くなり過ぎたりするといった事態を招来することなく、設定する輪郭線幅を整数化することができる。
【０１８８】
本発明の一態様に係る輪郭線幅設定装置（１’）においては、上記ディスプレイに縮小表示される画面のサイズを取得する画面サイズ取得手段（１６）を更に備え、上記輪郭線幅設定手段（１３、１４、１５、１８）は、上記ディスプレイサイズ取得手段（１１）が取得した上記ディスプレイのサイズ、及び、上記画面サイズ取得手段（１６）が取得した上記画面のサイズの双方に略反比例するように、上記ディスプレイに表示する文字の輪郭線幅を設定する、ことが好ましい。
【０１８９】
上記の構成によれば、ディスプレイに縮小表示される画面に対しても、文字に付される輪郭線の物理幅を略一定にすることができる。これにより、輪郭線を有する文字を高品位に表示することが可能になる。
【０１９０】
本発明の一態様に係る輪郭線幅設定装置（１’）においては、上記画面サイズ取得手段（１６）は、上記ディスプレイに縮小表示される画面の水平画素数Ｘ１、及び垂直画素数Ｙ１を取得するものであり、上記ディスプレイの水平画素数をＸ２、上記ディスプレイの垂直画素数をＹ２として、上記輪郭線幅設定手段（１３、１４、１５、１８）は、（１）（Ｘ２／Ｘ１）が（Ｙ２／Ｙ１）よりも大きい場合、画面サイズ比率Ｐを（Ｘ２／Ｘ１）とし、（２）（Ｘ２／Ｘ１）が（Ｙ２／Ｙ１）よりも小さい場合、画面サイズ比率Ｐを（Ｙ２／Ｙ１）として、小数値である輪郭線幅Ｗ１＝Ｐ＊Ｖ＊（Ｙ／Ｘ）を算出する輪郭線幅算出手段（１３、１４、１８）と、上記輪郭線幅算出手段（１３、１４、１８）により算出された輪郭線幅Ｗ１を整数化することによって、整数値である輪郭線幅Ｗ’を算出する輪郭線幅整数化手段（１５）とを含んでいる、ことが好ましい。
【０１９１】
上記の構成によれば、上記ディスプレイに縮小表示される画面が、アスペクト比を変更するように画面のサイズを縮小されている場合においても、適切な画面サイズ比率Ｐを設定することができる。これにより、輪郭線を有する文字を高品位に表示することが可能になる。
【０１９２】
本発明の一態様に係る輪郭線幅設定方法は、ディスプレイのサイズを取得する取得ステップ（Ｓ１１）と、上記取得ステップ（Ｓ１１）にて取得した上記ディスプレイのサイズに略反比例するように、上記ディスプレイに表示する文字の輪郭線幅を設定する設定ステップ（Ｓ１２、Ｓ１３、Ｓ１４）と、を含んでいる。
【０１９３】
上記の構成によれば、どのようなサイズのディスプレイに対しても、文字に付される輪郭線の物理幅を略一定にすることができる。これにより、輪郭線を有する文字を高品位に表示することが可能になる。
【０１９４】
なお、上記輪郭線幅設定装置（１、１’、１１０）を備えたテレビジョン受信機（１００）であって、当該テレビジョン受信機（１００）に接続又は内蔵されたディスプレイにＯＳＤ表示する文字の輪郭線幅を上記輪郭線幅設定装置（１、１’、１１０）を用いて設定するテレビジョン受信機（１００）も本発明の範疇に含まれる。
【０１９５】
また、上記輪郭線幅設定方法を含んだテレビジョン受信機の製造方法であって、上記テレビジョン受信機に内蔵されたディスプレイにＯＳＤ表示する文字の輪郭線幅を上記輪郭線幅設定方法を用いて設定するテレビジョン受像機の製造方法も本発明の範疇に含まれる。
【０１９６】
また、コンピュータを上記輪郭線幅設定装置（１、１’）として動作させるためのプログラムであって、上記コンピュータを上記輪郭線幅設定装置（１、１’）の上記各手段（１１、１３、１４、１５、１６、１７、１８）として機能させるためのプログラム、及び、上記プログラムが記録されているコンピュータ読み取り可能な記録媒体も本発明の範疇に含まれる。
【０１９７】
本発明の一態様に係る輪郭階調数設定装置（２）は、ディスプレイのサイズを取得するディスプレイサイズ取得手段（２１）と、上記ディスプレイサイズ取得手段（２１）が取得した上記ディスプレイのサイズに略比例するように、上記ディスプレイに表示する文字の輪郭階調数を設定する輪郭階調数設定手段（２３、２４、２５）と、を備えている。
【０１９８】
上記の構成によれば、どのようなディスプレイに対しても、文字に付される輪郭線の階調数密度（単位長さ辺りの階調数）を略一定にすることができる。これにより、多階調の輪郭線を有する文字を高品位に表示することが可能になる。
【０１９９】
本発明の一態様に係る輪郭階調数設定装置（２）においては、上記ディスプレイサイズ取得手段（２１）が取得した上記ディスプレイのサイズをＸ、予め定められた基準ディスプレイのサイズをＹ、予め定められた基準輪郭線の階調数をＭとして、上記輪郭階調数設定手段（２３、２４、２５）が、小数値である階調数Ｎ＝Ｍ＊（Ｘ／Ｙ）を算出する輪郭階調数算出手段（２３、２４）と、上記輪郭階調数算出手段により算出された階調数Ｎを整数化することによって、整数値である階調数Ｎ’を算出する輪郭階調数整数化手段（２５）とを含んでいる、ことが好ましい。
【０２００】
上記の構成によれば、ディスプレイのサイズに略比例する階調数を、簡単な構成で高速に導出することができる。
【０２０１】
本発明の一態様に係る輪郭階調数設定装置（２）においては、上記輪郭階調数算出手段（２３、２４）により算出された階調数Ｎの整数部分をｎとして、上記輪郭階調数整数化手段（２５）が、上記ディスプレイのサイズＸが上記基準ディスプレイのサイズＹよりも大きい場合、階調数Ｎ’をｎ＋１とし、上記ディスプレイのサイズＸが上記基準ディスプレイのサイズＹよりも小さい場合、階調数Ｎ’をｎとする、ことが好ましい。
【０２０２】
上記の構成によれば、基準ディスプレイよりもサイズの大きなディスプレイに表示する文字の階調密度が低くなり過ぎたり、基準ディスプレイよりもサイズの小さなディスプレイに表示する文字の階調密度が高くなり過ぎたりするといった事態を招来することなく、設定する階調数を整数化することができる。
【０２０３】
本発明の一態様に係る輪郭階調数設定装置（２’）においては、上記ディスプレイに縮小表示される画面のサイズを取得する画面サイズ取得手段（２６）を更に備え、上記輪郭階調数設定手段（２３、２４、２５、２８）は、上記ディスプレイサイズ取得手段（２１）が取得した上記ディスプレイのサイズ、及び、上記画面サイズ取得手段（２６）が取得した上記画面のサイズの双方に略比例するように、上記画面に表示する文字に付す輪郭線の階調数を設定する、ことが好ましい。
【０２０４】
上記の構成によれば、ディスプレイに縮小表示される画面に対しても、文字に付される輪郭線の階調数密度（単位長さ辺りの階調数）を略一定にすることができる。これにより、多階調の輪郭線を有する文字を高品位に表示することが可能になる。
【０２０５】
本発明の一態様に係る輪郭階調数設定装置（２’）においては、上記画面サイズ取得手段（２６）は、上記ディスプレイに縮小表示される画面の水平画素数Ｘ１、及び垂直画素数Ｙ１を取得するものであり、上記ディスプレイの水平画素数をＸ２、上記ディスプレイの垂直画素数をＹ２として、上記輪郭階調数設定手段（２３、２４、２５、２８）は、（１）（Ｙ１／Ｙ２）が（Ｘ１／Ｘ２）よりも大きい場合、画面サイズ比率Ｐを（Ｘ１／Ｘ２）とし、（２）（Ｙ１／Ｙ２）が（Ｘ１／Ｘ２）よりも小さい場合、画面サイズ比率Ｐを（Ｙ１／Ｙ２）として、小数値である階調数Ｎ１＝Ｐ＊Ｍ＊（Ｘ／Ｙ）を算出する輪郭線幅算出手段（２３、２４、２８）と、上記輪郭線幅算出手段（２３、２４、２８）により算出された階調数Ｎ１を整数化することによって、整数値である階調数Ｎ’を算出する輪郭階調数整数化手段（２５）とを含んでいる、ことが好ましい。
【０２０６】
上記の構成によれば、上記ディスプレイに縮小表示される画面が、アスペクト比を変更するように画面のサイズを縮小されている場合においても、適切な画面サイズ比率Ｐを設定することができる。これにより、輪郭線を有する文字を高品位に表示することが可能になる。
【０２０７】
本発明の一態様に係る輪郭階調数設定方法は、ディスプレイのサイズを取得する取得ステップ（Ｓ４１）と、上記取得ステップ（Ｓ４１）にて取得した上記ディスプレイのサイズに略比例するように、上記ディスプレイに表示する文字に付す輪郭線の階調数を設定する設定ステップ（Ｓ４２、Ｓ４３、Ｓ４４）と、を含んでいる。
【０２０８】
上記の構成によれば、どのようなディスプレイに対しても、文字に付される輪郭線の階調数密度（単位長さ辺りの階調数）を略一定にすることができる。これにより、多階調の輪郭線を有する文字を高品位に表示することが可能になる。
【０２０９】
なお、上記輪郭階調数設定装置（２、２’、１１０）を備えたテレビジョン受信機（１００）であって、当該テレビジョン受信機（１００）に接続又は内蔵されたディスプレイにＯＳＤ表示する文字に付す輪郭線の階調数を上記輪郭階調数設定装置（２、２’、１１０）を用いて設定するテレビジョン受信機（１００）も本発明の範疇に含まれる。
【０２１０】
また、上記輪郭階調数設定方法を含んだテレビジョン受信機の製造方法であって、上記テレビジョン受信機に内蔵されたディスプレイにＯＳＤ表示する文字に付す輪郭線の階調数を上記輪郭階調数設定方法を用いて設定するテレビジョン受像機の製造方法も本発明の範疇に含まれる。
【０２１１】
また、コンピュータを上記輪郭階調数設定装置（２、２’）として動作させるためのプログラムであって、上記コンピュータを上記輪郭階調数設定装置（２、２’）の上記各手段（２１、２３、２４、２５、２６、２７、２８）として機能させるためのプログラム、及び、上記プログラムが記録されているコンピュータ読み取り可能な記録媒体も本発明の範疇に含まれる。
【０２１２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２１３】
本発明は、ディスプレイに文字をＯＳＤ表示する各種ＡＶ機器、例えば、テレビジョン受信機、テレビジョン受像機、ＢＤプレーヤ、ＤＶＤプレーヤなどにおいて利用することができる。
【符号の説明】
【０２１４】
１          輪郭線幅設定装置
１１        ディスプレイサイズ取得部
１２        基準サイズ取得部
１３        比率算出部
１４        線幅算出部
１５        整数化部
１６        画面サイズ取得部
１７        画面サイズ比率算出部
１８        縮小表示線幅算出部
１００      テレビジョン受信機
１１０      ＯＳＤ描画部（輪郭線幅設定装置、輪郭階調数設定装置）
２          輪郭階調数設定装置
２１        ディスプレイサイズ取得部
２２        基準サイズ取得部
２３        比率算出部
２４        階調数算出部
２５        整数化部
２６        画面サイズ取得部
２７        画面サイズ比率算出部
２８        縮小表示階調数算出部
【図１】
0005519065.tif 000004
【図２】
0005519065.tif 000005
【図３】
0005519065.tif 000006
【図４】
0005519065.tif 000007
【図５】
0005519065.tif 000008
【図６】
0005519065.tif 000009
【図７】
0005519065.tif 000010
【図８】
0005519065.tif 000011
【図９】
0005519065.tif 000012
【図１１】
0005519065.tif 000013
【図１２】
0005519065.tif 000014
【図１３】
0005519065.tif 000015
【図１５】
0005519065.tif 000016
【図１０】
0005519065.tif 000017
【図１４】
0005519065.tif 000018